(57)【要約】【課題】  本発明は、開封用の容器部材の面に形成される凹凸状の起伏部の起立壁が、該容器部材の面を分断開口するために貼着された開封テープの一部に達していたり、又該起伏部の起立壁が開封テープの長手方向に沿って延設してなる場合であっても、接着強度に厶ラを生じさせることなく起伏部の起立壁に沿って開封テープを容易且つ確実に貼着させた熱成形を行い、スムーズな容器部材の分断開口を行うことが出来る容器部材開封用樹脂テープを提供するものである。【解決手段】  容器部材開封用樹脂テープ４の一面側４ａには、接着層５が設けられ、且つ該接着層５が熱成形時の容器部材開封用樹脂テープ４の延伸時に、如何なる箇所においても均等な接着力を有した接着面５ａを前記容器部材開封用樹脂テープ４の一面側４ａに形成すべく均等厚で拡がると共に、容器部材開封用樹脂テープ４の収縮時には、如何なる箇所においても均等な接着力を有した接着面５ａを前記容器部材開封用樹脂テープ４の一面側４ａに形成すべく均等厚で縮む構成にしてなることを特徴とする。【選択図】  図１
2004269048.tif 000002
【特許請求の範囲】
【請求項１】
容器部材を形成するための熱伸縮性樹脂シート（１）に貼着して使用される容器部材開封用樹脂テープ（４）であって、該容器部材開封用樹脂テープ（４）の一面側（４ａ）には、接着層（５）が設けられ、且つ該接着層（５）が熱成形時の容器部材開封用樹脂テープ（４）の延伸時に、如何なる箇所においても均等な接着力を有した接着面（５ａ）を前記容器部材開封用樹脂テープ（４）の一面側（４ａ）に形成すべく均等厚で拡がると共に、容器部材開封用樹脂テープ（４）の収縮時には、如何なる箇所においても均等な接着力を有した接着面（５ａ）を前記容器部材開封用樹脂テープ（４）の一面側（４ａ）に形成すべく均等厚で縮むことを特徴とする容器部材開封用樹脂テープ。
【請求項２】
前記接着層（５）の接着剤組成が、金属キレートを触媒に用いると共に、２エチルヘキシルアクリレートを２０〜６０重量％、ブチルアクリレートを８０〜４０重量％の比率で配合してなることを特徴とする請求項１記載の容器部材開封用樹脂テープ。
【請求項３】
前記接着層（５）の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなることを特徴とする請求項１記載の容器部材開封用樹脂テープ。
【請求項４】
前記容器部材開封用樹脂テープ（４）の厚みが２０〜２００μｍ、好ましくは３０〜５０μｍである構成にしてなることを特徴とする請求項１乃至３の何れかに記載の容器部材開封用樹脂テープ。
【請求項５】
前記容器部材開封用樹脂テープ（４）の軟化点が６０℃以上であることを特徴とする請求項１乃至４の何れかに記載の容器部材開封用樹脂テープ。
【請求項６】
前記容器部材開封用樹脂テープ（４）の流れ方向の引張り強度が１００〜２５０ＭＰａ（ＪＩＳ−Ｋ７１２７測定法時）であることを特徴とする請求項１乃至５の何れかに記載の容器部材開封用樹脂テープ。
【請求項７】
前記容器部材開封用樹脂テープ（４）の流れ方向の破断伸度が１００〜１３０％（ＪＩＳ−Ｋ７１２７測定法時）であることを特徴とする請求項１乃至６の何れかに記載の容器部材開封用樹脂テープ。
【請求項８】
前記容器部材開封用樹脂テープ（４）が、脂肪族ポリエステル樹脂から形成された構成にしてなることを特徴とする請求項１乃至７の何れかに記載の容器部材開封用樹脂テープ。
【請求項９】
前記容器部材開封用樹脂テープ（４）が、使用前においてライナーレステープ巻装体（４Ａ）を形成してなり、しかも使用時にライナーレステープ巻装体（４Ａ）から繰り出された該樹脂テープ（４）には、該樹脂テープ（４）の一面側（４ａ）の接着層（５）が樹脂テープ（４）の他面側（４ｂ）の剥離剤層（６）から引き剥がされた際に該接着層（５）に生じる気泡（１７）を低減するための気泡低減処理手段が施された構成にしてなることを特徴とする請求項１乃至８の何れかに記載の容器部材開封用樹脂テープ。
【請求項１０】
前記気泡低減処理手段が、前記樹脂テープ（４）を、一面側（４ａ）と他面側（４ｂ）から挟み込む一対の挟体（１３）を用いると共に、一面側（４ａ）の挟体（１３ａ）には、シリコン押圧面（１４）が設けられた構成にしてなることを特徴とする請求項９記載の容器部材開封用樹脂テープ。
【請求項１１】
前記接着層（５）が、９５℃以上、好ましくは１００℃以上で接着力及び／又は延伸性が増加すると共に、温度低下によりもとに戻る特性を有してなることを特徴とする請求項１乃至１０の何れかに記載の容器部材開封用樹脂テープ。
【請求項１２】
前記容器部材開封用樹脂テープ（４）の他面側（４ｂ）には、剥離剤層（６）が設けられてなることを特徴とする請求項１乃至１１の何れかに記載の容器部材開封用樹脂テープ。
【請求項１３】
前記剥離剤層（６）が非シリコン系塗布剤により形成されてなることを特徴とする請求項１２記載の容器部材開封用樹脂テープ。
【請求項１４】
前記非シリコン系塗布剤が長鎖アルキル系であることを特徴とする請求項１３記載の容器部材開封用樹脂テープ。
【請求項１５】
前記容器部材開封用樹脂テープ（４）には、線状材（１２）が該容器部材開封用樹脂テープ（４）の長手方向に沿って設けられてなることを特徴とする請求項１乃至１４の何れかに記載の容器部材開封用樹脂テープ。
【請求項１６】
前記容器部材開封用樹脂テープ（４）が複数層を形成してなることを特徴とする請求項１乃至１５の何れかに記載の記載の容器部材開封用樹脂テープ。
【請求項１７】
食品等の物品を収納する容器本体（２）又は該容器本体（２）の開口部（２ａ）を閉塞する蓋体（３）の少なくとも何れか一方を形成する開封用の容器部材（１Ａ）が熱伸縮性樹脂シート（１）から形成され、しかも該熱伸縮性樹脂シート（１）には、前記開封用の容器部材（１Ａ）の成形前に自ら粘着部位を有しない容器部材開封用樹脂テープ（４）が、別途繰り出される熱伸縮性樹脂シート（１）に塗布される接着層（５）又は該熱伸縮性樹脂シート（１）と共に繰り出される前記容器部材開封用樹脂テープ（４）に塗布される接着層（５）の少なくとも何れか一方を介して該熱伸縮性樹脂シート（１）に貼着され、しかも該接着層（５）が容器部材開封用樹脂テープ（４）及び／又は容器部材（１Ａ）の面（７）の熱成形時の延伸時に、如何なる箇所においても均等な接着力を有した接着面（５ａ）を前記容器部材開封用樹脂テープ（４）の一面側（４ａ）及び／又は容器部材（１Ａ）の面（７）に形成すべく均等厚で拡がると共に、容器部材開封用樹脂テープ（４）の収縮時には、如何なる箇所においても均等な接着力を有した接着面（５ａ）を前記容器部材開封用樹脂テープ（４）の一面側（４ａ）及び／又は容器部材（１Ａ）の面（７）に形成すべく均等厚で縮むことを特徴とする容器部材開封用樹脂テープを備えた物品収納容器。
【請求項１８】
食品等の物品を収納する容器本体（２）又は該容器本体（２）の開口部（２ａ）を閉塞する蓋体（３）の少なくとも何れか一方を形成する開封用の容器部材（１Ａ）が熱伸縮性樹脂シート（１）から形成され、しかも該熱伸縮性樹脂シート（１）には、前記開封用の容器部材（１Ａ）の成形前に容器部材開封用樹脂テープ（４）が、自ら有する接着層（５）を介して貼着されてなり、しかも該接着層（５）が容器部材開封用樹脂テープ（４）及び／又は容器部材（１Ａ）の面（７）の熱成形時の延伸時に、如何なる箇所においても均等な接着力を有した接着面（５ａ）を前記容器部材開封用樹脂テープ（４）の一面側（４ａ）及び／又は容器部材（１Ａ）の面（７）に形成すべく均等厚で拡がると共に、容器部材開封用樹脂テープ（４）の収縮時には、如何なる箇所においても均等な接着力を有した接着面（５ａ）を前記容器部材開封用樹脂テープ（４）の一面側（４ａ）及び／又は容器部材（１Ａ）の面（７）に形成すべく均等厚で縮むことを特徴とする容器部材開封用樹脂テープを備えた物品収納容器。
【請求項１９】
前記接着層（５）の接着剤組成が、金属キレートを触媒に用いると共に、２エチルヘキシルアクリレートを２０〜６０重量％、ブチルアクリレートを８０〜４０重量％の比率で配合してなることを特徴とする請求項１７又は１８記載の容器部材開封用樹脂テープを備えた物品収納容器。
【請求項２０】
前記接着層（５）の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなることを特徴とする請求項１７又は１８記載の容器部材開封用樹脂テープを備えた物品収納容器。
【請求項２１】
前記容器部材開封用樹脂テープ（４）の厚みが２０〜２００μｍ、好ましくは３０〜５０μｍである構成にしてなることを特徴とする請求項１７乃至２０の何れかに記載の容器部材開封用樹脂テープを備えた物品収納容器。
【請求項２２】
前記容器部材開封用樹脂テープ（４）の軟化点が６０℃以上であることを特徴とする請求項１７乃至２１の何れかに記載の容器部材開封用樹脂テープを備えた物品収納容器。
【請求項２３】
前記容器部材開封用樹脂テープ（４）の流れ方向の引張り強度が１００〜２５０ＭＰａ（ＪＩＳ−Ｋ７１２７測定法時）であることを特徴とする請求項１７乃至２２の何れかに記載の容器部材開封用樹脂テープを備えた物品収納容器。
【請求項２４】
前記容器部材開封用樹脂テープ（４）の流れ方向の破断伸度が１００〜１３０％（ＪＩＳ−Ｋ７１２７測定法時）であることを特徴とする請求項１７乃至２３の何れかに記載の容器部材開封用樹脂テープを備えた物品収納容器。
【請求項２５】
前記容器部材開封用樹脂テープ（４）が、脂肪族ポリエステル樹脂から形成された構成にしてなることを特徴とする請求項１７乃至２４の何れかに記載の容器部材開封用樹脂テープを備えた物品収納容器。
【請求項２６】
前記接着層（５）が、９５℃以上、好ましくは１００℃以上で接着力及び／又は延伸性が増加すると共に、温度低下によりもとに戻る特性を有してなることを特徴とする請求項１７乃至２５の何れかに記載の容器部材開封用樹脂テープを備えた物品収納容器。
【請求項２７】
前記容器部材開封用樹脂テープ（４）の他面側（４ｂ）には、剥離剤層（６）が設けられてなることを特徴とする請求項１７乃至２６の何れかに記載の容器部材開封用樹脂テープを備えた物品収納容器。
【請求項２８】
前記剥離剤層（６）が非シリコン系塗布剤により形成されてなることを特徴とする請求項２７記載の容器部材開封用樹脂テープを備えた物品収納容器。
【請求項２９】
前記非シリコン系塗布剤が長鎖アルキル系であることを特徴とする請求項２８記載の容器部材開封用樹脂テープを備えた物品収納容器。
【請求項３０】
前記前記容器部材開封用樹脂テープ（４）には、線状材（１２）が該容器部材開封用樹脂テープ（４）の長手方向に沿って設けられてなることを特徴とする請求項１７乃至２９の何れかに記載の容器部材開封用樹脂テープを備えた物品収納容器。
【請求項３１】
前記容器部材開封用樹脂テープ（４）が複数層を形成してなることを特徴とする請求項１７乃至３０の何れかに記載の記載の容器部材開封用樹脂テープを備えた物品収納容器。
【請求項３２】
開封用の容器部材（１Ａ）を形成すべく容器部材開封用樹脂テープ（４）が接着層（５）を介して貼着された熱伸縮性樹脂シート（１）の熱成形時に、該容器部材開封用樹脂テープ（４）の端部が硬化すると共に、該容器部材（１Ａ）の開封時における容器分断案内把持部位（４ｃ）を形成することを特徴とする請求項１７乃至３１の何れかに記載の容器部材開封用樹脂テープを備えた物品収納容器。
【請求項３３】
前記熱伸縮性樹脂シート（１）から形成された開封用の容器部材（１Ａ）の面（７）に接着層（５）を介して貼着された容器部材開封用樹脂テープ（４）の端部が、物品を収納した後に開囗部を閉塞すべく熱変形する開封用の容器部材（１Ａ）の熱変形時に硬化すると共に、該容器部材（１Ａ）の開封時における容器分断案内把持部位（４ｃ）を形成することを特徴とする請求項１７乃至３２の何れかに記載の容器部材開封用樹脂テープを備えた物品収納容器。
【請求項３４】
前記熱伸縮性樹脂シート（１）から形成された開封用の容器部材（１Ａ）の面（７）に接着層（５）を介して貼着された容器部材開封用樹脂テープ（４）の一部位又は容器部材（１Ａ）の面（７）の一部位の少なくとも何れか一方には、該容器部材（１Ａ）を開封させるべく容器部材開封用樹脂テープ（４）の容器分断案内方向を目視及び／又は触れることで確認可能な突部（１５）または膨出部（１６）が形成されてなることを特徴とする請求項１７乃至３３の何れかに記載の容器部材開封用樹脂テープを備えた物品収納容器。
【請求項３５】
前記容器部材開封用樹脂テープ（４）がライナーレステープ巻装体（４Ａ）から繰り出されると共に、開封用の容器部材（１Ａ）に形成される前の熱伸縮性樹脂シート（１）に接着層（５）を介して貼着される構成にしてなり、しかも該熱伸縮性樹脂シート（１）には、前記ライナーレステープ巻装体（４Ａ）から該樹脂テープ（４）が繰り出される際に、該樹脂テープ（４）の一面側（４ａ）の接着層（５）が樹脂テープ（４）の他面側（４ｂ）の剥離剤層（６）から引き剥がされる時に該接着層（５）に生じる気泡（１７）を有して該熱伸縮性樹脂シート（１）と該樹脂テープ（４）との間に介在する接着層（５）から気泡（１７）を除去するための気泡除去処理手段が施された構成にしてなることを特徴とする請求項１８乃至３４の何れかに記載の容器部材開封用樹脂テープを備えた物品収納容器。
【請求項３６】
前記気泡除去処理手段が、熱伸縮性樹脂シート（１）に樹脂テープ（４）が接着層（５）を介して貼着される際に、互いが非同期速度をとることで接着層（５）の気泡（１７）を除去する構成にしてなることを特徴とする請求項３５記載の容器部材開封用樹脂テ−プを備えた物品収納容器。
【請求項３７】
前記気泡除去処理手段が、熱伸縮性樹脂シート（１）に樹脂テープ（４）が接着層（５）を介して貼着される際又は貼着された後に、該樹脂テープ（４）の接着層（５）が設けられた一面側（４ａ）を樹脂テープ（４）の他面側（４ｂ）方向へと強制湾曲させることで接着層（５）を拡張させて気泡（１７）を除去する構成にしてなることを特徴とする請求項３５記載の容器部材開封用樹脂テープを備えた物品収納容器。
【請求項３８】
前記ライナーレステープ巻装体（４Ａ）から繰り出された容器部材開封用樹脂テープ（４）には、該樹脂テープ（４）が熱伸縮性樹脂シート（１）に貼着される前に、前記接着層（５）に生じる気泡（１７）を低減するための気泡低減処理手段が施された構成にしてなることを特徴とする請求項３５乃至３７の何れかに記載の容器部材開封用樹脂テープを備えた物品収納容器。
【請求項３９】
前記気泡低減処理手段が、前記樹脂テープ（４）を、一面側（４ａ）と他面側（４ｂ）から挟み込む一対の挟体（１３）を用いると共に、一面側（４ａ）の挟体（１３ａ）には、シリコン押圧面（１４）が設けられた構成にしてなることを特徴とする請求項３８記載の容器部材開封用樹脂テープを備えた物品収納容器。
【発明の詳細な説明】
【技術分野】
【０００１】  本発明は、容器部材開封用樹脂テープ及び該容器部材開封用樹脂テープを備えた物品収納容器に関し、更に詳しくは、食品等の物品を収納する容器本体又は該容器本体の開口部を閉塞する蓋体の少なくとも何れか一方が熱伸縮性樹脂シートから成形された開封用の容器部材を形成する場合において、熱成形を介して容器部材の面に凸状及び／又は凹状の起伏部が形成される場合であっても、該起伏部に沿って確実に、且つ容器部材の対峙する端縁部間に跨がって貼着することが出来る容器部材分断用の容器部材開封用樹脂テープ及び該容器部材開封用樹脂テープを備えた物品収納容器に関するものである。
【背景技術】
【０００２】  従来、この種容器部材開封用樹脂テープを備えた容器部材を用いる物品収納容器としては、例えば、特開平９−１６９３５１号公報所載のものが存在する。【０００３】  即ち、かかる公報所載の物品収納容器は、主に食品容器として用いられるものであり、容器本体とこの容器本体の開口部を閉鎖する蓋とからなり、この容器本体と蓋のうち、少なくとも開封される側の容器部材を合成樹脂シートにて形成し、且つ該合成樹脂シートにて形成された開封側の容器部材の端縁部間に跨がって合成樹脂製の開封テープを貼着したものである。【０００４】  よって、上記構成からなる容器部材によれば、合成樹脂製の開封テープが、開封側容器部材（例えば蓋）の対峙する端縁部間に跨がって（蓋を横断する状態）で設けられてなることから、開封側容器部材における開封テープ貼着部位を他の部位より厚く高強度に形成することが可能となる。【０００５】  尚、上記容器部材を容器本体と蓋とから形成した場合、通常、容器本体の開口周縁部に形成された凸部又は凹部と、蓋の周縁部に形成された凹部又は凸部を互いに嵌合して閉塞するタイプのものと、一方側である蓋又は容器本体の周縁部を他方側の周縁部に熱収縮を介して巻き付けるような状態で閉塞するシュリンクタイプの二通りが主流である。【０００６】  従って、上記前者及び後者何れのタイプのものであっても、開封テープの一端側を摘み、その後対峙してなる他端側へと引っ張ることで、他の部位より厚く高強度に形成された開封テープ貼着部位を介して開封側容器部材の引き裂き開封を容易ならしめんとするものである。
【発明の開示】
【発明が解決しようとする課題】
【０００７】  しかしながら、上記の如く開封テープを蓋又は容器本体の何れか一方の開封側容器部材に設ける場合においては、下記に示すような問題が生じていた。【０００８】  即ち、上記食品等の物品に用いられる蓋や容器本体等の成形部材は、さほど精密さを要求されるものではない。
よって、その大半は熱伸縮性樹脂シート（熱可塑性樹脂シート）を加熱軟化させた後、該シートを型の上に乗せてシートと型の間の空気を抜いて真空にしつつ前記型にシートを圧着させて形成し、その後シートを冷却固化させて取り出すといった、所謂、真空成形を用いて生産するのが一般的であり、この場合には型は金属以外でもよく、例えば、木型等の使用も可であり、よって、設備や装置が簡単であるばかりか、低コスト、操作が容易であるという利点がある。【０００９】  従って、例えば、熱伸縮性樹脂を用いた開封テープを有した蓋を成形する場合においては、先ず、熱伸縮性樹脂シートの対峙する端部間に跨がるように接着剤を介して開封用の樹脂テープを該熱伸縮性樹脂シートの一面側に貼着し、その後該樹脂テープが貼着された熱伸縮性樹脂熱収縮性合成樹脂シートの一面側を所定形状の型に一定時間押しあてての成形（真空成形）を介して得られた成形部材の面形状に沿って前記樹脂テープが具備された蓋を成形することが出来るのであるが、如何せん前記蓋の面の形状は常に平らであるとは限らない。【００１０】  即ち、前記の如く成形される蓋が、例えば、弁当等の容器本体に用いられる場合には、各種惣菜等の混合を防止すべく蓋の面の所要箇所に、容器本体に形成された各種惣菜の収納部の仕切壁部の頂部と当接する凸部を蓋の裏面側へ突出させて各種惣菜等の容器本体内での混合を防止しなければならない。【００１１】  よって、必然的に蓋の面には、凹凸状の起伏部が形成されることになるが、この時、蓋の面に形成される凹凸状の起伏部の起立壁が開封テープの一部に達してなる場合、特に開封テープの長手方向に沿って起立壁が延設してなる場合には、起立壁に沿って開封テープの一部が該開封テープの幅方向（斜め上方向の場合もあれば斜め下方向の場合もある）に引っ張られることになる。【００１２】  従って、起立壁に沿って開封テープの一部が斜め上方向や斜め下方向に引っ張られる際に、それぞれの間に介在する接着剤の層も拡散されるように強制的に引っ張られて接着強度にムラが生じることとなり、結果として起伏部の起立壁に位置する開封テープの一部位を蓋に十分に貼着することが出来ないばかりか、冷却時において十分な貼着がなされていない開封テープの一部位が、起伏部とは異なる蓋の面と十分に貼着してなる他の箇所のテープ部位より収縮率が増大して縮むこととなり、しいては蓋の分断開口時に開封テープのー部位が起伏部あたりで剥離状態となってスムーズな分断開口を阻害する恐れもあるという問題が生じ、何らかの解決策が望まれていた。【００１３】  即ち、本発明は、上記課題を解決すべくなされたものであり、例え、開封用の容器部材の面に形成される凹凸状の起伏部の起立壁が、該容器部材の面を分断開口するために貼着された開封テープの一部に達していたり、又該起伏部の起立壁が開封テープの長手方向に沿って延設してなる場合であっても、接着強度にムラを生じさせることなく起伏部の起立壁に沿って開封テープを容易且つ確実に貼着させた熱成形を行い、スムーズな容器部材の分断開口を行うことが出来る極めて優れた容器部材開封用樹脂テープ及び該容器部材開封用樹脂テープを備えた物品収納容器を提供することを課題とするも��である。
【課題を解決するための手段】
【００１４】  即ち、本発明は、上記課題を解決すべくなされたものであり、請求項１による発明は、容器部材を形成するための熱伸縮性樹脂シート１に貼着して使用される容器部材開封用樹脂テープ４であって、該容器部材開封用樹脂テープ４の一面側４ａには、接着層５が設けられ、且つ該接着層５が熱成形時の容器部材開封用樹脂テープ４の延伸時に、如何なる箇所においても均等な接着力を有した接着面５ａを前記容器部材開封用樹脂テープ４の一面側４ａに形成すべく均等厚で拡がると共に、容器部材開封用樹脂テープ４の収縮時には、如何なる箇所においても均等な接着力を有した接着面５ａを前記容器部材開封用樹脂テープ４の一面側４ａに形成すべく均等厚で縮む構成にしてなるものである。【００１５】  よって、かかる容器部材開封用樹脂テープ４を、例えば、熱成形を介して面７に凹凸状の起伏部７ａが形成される開封用の容器部材１Ａに用いた場合には、起伏部７ａのみならず該起伏部７ａの起立壁７ｂが、熱成形前に熱伸縮性樹脂シート１に貼着された容器部材開封用樹脂テープ４の一部又は該開封用樹脂テープ４の長手方向に沿って延設されるような極めて悪条件の位置に形成された場合であっても、前記起立壁７ｂに沿って開封用樹脂テープ４の一部が斜め上方向や斜め下方向に引っ張られる際に、それぞれの間に介在する接着層５が均等な接着力を備えた接着面５ａを有して均等厚で拡がると共に、冷却時には、均等な接着力を備えた接着面５ａを有して均等厚で縮むことから、どの部位であっても開封用樹脂テープ４の接着強度にムラを生じさせることなく起伏部７ａの起立壁７ｂに沿って開封用樹脂テープ４を容易且つ確実に貼着させてスムーズな容器部材１Ａの分断開口を行うことが出来るという容器部材開封用樹脂テープ４を提供することが出来るという利点がある。【００１６】  更に、請求項２による発明は、接着層５の接着剤組成が、金属キレートを触媒に用いると共に、２エチルヘキシルアクリレートを２０〜６０重量％、ブチルアクリレートを８０〜４０重量％の比率で配合してなることから、熱成形時において延伸及び／又は伸縮する開封用樹脂テープ４及び容器部材１Ａの面７と共に、確実且つ高効率で均等な接着力を有した均等厚で拡がらせたり、均等な接着力を有した均等厚で縮ませることが出来る接着層５を有した容器部材開封用樹脂テープ４を簡単且つ安価に製造することが出来るという利点がある。【００１７】  更に、請求項３による発明は、接着層５の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなることから、熱成形時において延伸及び／又は伸縮する開封用樹脂テープ４及び容器部材１Ａの面７と共に、確実且つ高効率で均等な接着力を有した均等厚で拡がらせたり、均等な接着力を有した均等厚で縮ませることが出来る接着層５を具備させることが出来るだけでなく、接着層５をイソシアネート系架橋による二液型にすることで、例え、極めて引張強度の強い特性を有した樹脂を用いて開封用樹脂テープ４の幅寸法を可能な限り細くして接着層５の接着面積部位を小さくした場���であっても、接着層５の凝集力を向上させてより強い粘着力を有した容器部材開封用樹脂テープ４を簡単且つ安価に製造することが出来るという利点がある。【００１８】  更に、請求項４による発明は、容器部材開封用樹脂テープ４の厚みが２０〜２００μｍ、好ましくは３０〜５０μｍである構成にしてなることから、係る開封用樹脂テープ４を、例えば、熱成形を介して面７に凹凸状の起伏部７ａが形成される開封用の容器部材１Ａに用いた場合において、金型とのクリアランスを良好に保つことが可能となり、しいては変形のない、しかも容器部材１Ａの開封時においても列断や分断のない引張強度を有した厚みの容器部材開封用樹脂テープ４を提供することが出来るという利点がある。【００１９】  更に、請求項５による発明は、容器部材開封用樹脂テープ４の軟化点が６０℃以上であることから、係る開封用樹脂テープ４を、例えば、熱成形を介して面７に凹凸状の起伏部７ａが形成される開封用の容器部材１Ａに用いた場合であっても、熱形成時に溶けることなく熱変形しにくい良好な成形精度を備えた容器部材開封用樹脂テープ４を提供することが出来るという利点がある。【００２０】  又、請求項６による発明は、容器部材開封用樹脂テープ４の流れ方向の引張り強度が１００〜２５０ＭＰａ（ＪＩＳ−Ｋ７１２７測定法時）であることから、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引張方向に対して作業性を損なうような延びや列断、分断を生じることのない最適な引張強度を有した容器部材開封用樹脂テープ４を提供することが出来るという利点がある。【００２１】  更に、請求項７による発明は、容器部材開封用樹脂テープ４の流れ方向の破断伸度が１００〜１３０％（ＪＩＳ−Ｋ７１２７測定法時）であることから、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を提供することが出来るという利点がある。【００２２】  更に、請求項８による発明は、容器部材開封用樹脂テープ４が、脂肪族ポリエステル樹脂から形成された構成にしてなることから、加熱により軟化し易く、且つ常温に戻した際には強靭で硬い腰のある開封用樹脂テープ４として提供することが出来るという利点を有するだけでなく、特に該開封用樹脂テープ４を用いる容器部材１Ａに熱成形に対して伸び率等が優れるポリスチレン等の樹脂材を使用した場合には密着性に優れるという利点がある。
よって、例えば該樹脂テープ４の幅寸法を可能な限り細くした場合であっても、延びや列断、分断のない強靱な容器部材開封用樹脂テープ４を提供することが出来るという利点がある。
更に、前記脂肪族ポリエステル樹脂のガラス転移温度が４〜７０℃の範囲、特に３０〜６０℃の範囲を有するものがより良好な密着性を備えるという利点を有するばかりか、光沢と透明性を備えた容器部材開封用樹脂テープ４を提供することが出来るという利点がある。【００２３】  又、請求項９による発明は、容器部材開封用樹脂テープ４が、使用前においてライナーレステープ巻装体４Ａを形成してなり、しかも使用時にライナーレステープ巻装体４Ａから繰り出された該樹脂テープ４には、該樹脂テープ４の一面側４ａの接着層５が該樹脂テープ４の他面側４ｂの剥離剤層６から引き剥がされた際に該接着層５に生じる気泡１７を低減するための気泡低減処理手段が施された構成にしてなることから、ライナーレステープ巻装体４Ａから繰り出される容器部材開封用樹脂テープ４を、開封用容器部材１Ａの熱成形前の熱伸縮性樹脂シート１に貼着した場合には、気泡１７の目立たない容器部材開封用樹脂テープ４を提供することが可能となり、特に中身を消費者等に容易に確認可能とすべく開封用容器部材１Ａを透明の熱伸縮性樹脂シート１にて熱成形する場合であっても、容器部材開封用樹脂テープ４越しに中身を容易に確認可能な利便性に富む容器部材開封用樹脂テープ４として提供することが出来るという利点がある。【００２４】  更に、請求項１０による発明は、気泡低減処理手段が、前記樹脂テープ４を、一面側４ａと他面側４ｂから挟み込む一対の挟体１３を用いると共に、一面側４ａの挟体１３ａには、シリコン押圧面１４が設けられた構成にしてなることから、該樹脂テープ４の一面側４ａの接着層５が該樹脂テープ４の他面側４ｂの剥離剤層６から引き剥がされた際に該接着層５に生じる気泡１７の大半を、一対の挟体１３を介して効率よく押し潰しながら先の加工工程へと繰り出すことが出来るだけでなく、特に接着層５の気泡１７をシリコン押圧面１４で押し潰すことで粘着力低下の極めて少ない容器部材開封用樹脂テープ４を提供することが出来るという利点がある。【００２５】  更に、請求項１１による発明は、接着層５が、９５℃以上、好ましくは１００℃以上で接着力及び／又は延伸性が増加すると共に、温度低下によりもとに戻る特性を有してなることから、容器部材開封用樹脂テープ４を貼着して起伏部７ａが形成される開封用の容器部材１Ａの熱成形時において、熱成形される容器部材１Ａと共に、極めて効率よく且つ確実に接着層５を均等な接着力を有した均等厚で拡がらせたり、均等な接着力を有した均等厚で縮ませることが出来る接着層５を有した容器部材開封用樹脂テープ４を提供することが出来るだけでなく、特に１００℃以上、好ましくは１３５℃前後での熱成形に対して伸び率等が優れるポリスチレン等の樹脂材で容器部材開封用樹脂テープ４や容器部材１Ａを製造し、起伏部７ａを形成するような熱成形に用いた場合であっても、熱成形に好適な強い接着力を有した接着層５を、開封用樹脂テープ４に具備させることが出来るだけでなく、容器部材１Ａと容器部材開封用樹脂テープ４に同じ樹脂材を用いることで、熱伸縮率を同じにすることが可能となり、しいては、熱成形により開封用の容器部材１Ａの面７に材料ヒケ等の変形を抑えた凹凸状の起伏部７ａを効率よく形成することが可能な容器部材開封用樹脂テープ４を提供することが出来るという利点がある。【００２６】  尚、上記接着層５の接着剤組成の主原料に、アクリル酸エステル（ソルバント型アクリル系）を用いた場合であっても、所定温度若しくは所定温度以上により接着層５の接着力及び／又は延伸性を増加させると共に、温度低下によりもとに戻る特性を接着層５に若干具備させることも可能ではあるが、必ずしもアクリル酸エステルに限定されないのは言うまでもない。【００２７】  更に、請求項１２による発明は、容器部材開封用樹脂テープ４の他面側４ｂに剥離剤層６が設けられてなることから、容器部材１Ａに用いられる容器部材開封用樹脂テープ４の一面側４ａの接着層５に剥離紙を用いない、所謂、ライナーレステープの巻装体４Ａを使用することが可能となり、しいては剥離紙を用いない分だけ容器部材開封用樹脂テープ４の製品コストを低減することが出来るという利点を有するだけでなく、容器部材１Ａを形成する前の熱伸縮性樹脂シート１に容器部材開封用樹脂テープ４を貼着する製造工程において、剥離紙を片づけたり、処分したりする等の労働力や諸経費をなくすことが出来るという利便性に富む容器部材開封用樹脂テープ４を提供することが出来るという利点がある。【００２８】  更に、請求項１３による発明は、剥離剤層６が非シリコン系塗布剤により形成されてなることから、接着層５に剥離紙を用いない、所謂、低コストで剥離紙の処分も一切不要なライナーレステープの巻装体４Ａから容器部材開封用樹脂テープ４を製造する場合であっても、熱成形時に剥離剤層６の脱処理を全く必要としない熱成形に好適な容器部材開封用樹脂テープ４を安価に提供することが出来るという利点がある。【００２９】  更に、請求項１４による発明は、非シリコン系塗布剤が長鎖アルキル系であることから、分子量をより高分子化することが出来、よって熱成形時に延伸及び／又は伸縮する容器部材開封用樹脂テープ４と共に剥離剤層６を容易且つ簡単に延伸及び／又は伸縮させることが可能となり、しいては容器部材開封用樹脂テープ４を貼着させた後の開封用の容器部材１Ａの熱成形時に容器部材開封用樹脂テープ４に歪みを生じさせない熱成形に好適な容器部材開封用樹脂テープ４を提供することが出来るという利点がある。【００３０】  又、請求項１５による発明は、容器部材開封用樹脂テープ４には、線状材１２が該容器部材開封用樹脂テープ４の長手方向に沿って設けられてなることから、材料コスト低減の為にテープ４の幅を細くした場合であっても開封用の容器部材１Ａを容易に分断開口することが出来る強度を有した容器部材開封用樹脂テープ４を提供することが出来るという利点がある。【００３１】  更に、請求項１６による発明は、容器部材開封用樹脂テープ４が複数層を形成してなることから、例えば、容器部材開封用樹脂テープ４を熱成形に好適なポリスチレン等の単層フィルムで製造した場合とポリスチレン／ポリエチレン／ポリスチレンと複数層（三層）とした場合には、単層時と比べテープ４自体の引っ張り強度を飛躍的に向上させることが可能となり、よって、材料コスト低減の為にテープ４の幅を細くした場合であっても開封用の容器部材１Ａを容易に分断開口することが出来る強度を備えた容器部材開封用樹脂テープ４を安価に提供することが出来るだけでなく、かかる容器部材開封用樹脂テープ４をより大きな高低差を有する凹凸状の起伏部７ａを備えた容器部材１Ａに用いた場合であっても、単層時と比べ幅を細くしたテープ４を起伏部７ａに沿って十分に延伸させることが出来ると共に、容器部材１Ａの分断開口時であっても容器部材開封用樹脂テープ４が中途でちぎれたりするのを複数層という強度増加構造を介して防止することが出来るという利点がある。【００３２】  更に、容器部材開封用樹脂テープを備えた容器部材として、請求項１７による発明は、食品等の物品を収納する容器本体２又は該容器本体２の開口部２ａを閉塞する蓋体３の少なくとも何れか一方を形成する開封用の容器部材１Ａが熱伸縮性樹脂シート３から形成され、しかも該熱伸縮性樹脂シート１には、前記開封用の容器部材１Ａの成形前に自ら粘着部位を有しない容器部材開封用樹脂テープ４が、別途繰り出される熱伸縮性樹脂シート１に塗布される接着層５又は該熱伸縮性樹脂シート１と共に繰り出される前記容器部材開封用樹脂テープ４に塗布される接着層５の少なくとも何れか一方を介して該熱伸縮性樹脂シート１に貼着され、しかも該接着層５が容器部材開封用樹脂テープ４及び／又は容器部材１Ａの面７の熱成形時の延伸時に、如何なる箇所においても均等な接着力を有した接着面５ａを前記容器部材開封用樹脂テープ４の一面側４ａ及び／又は容器部材１Ａの面７に形成すべく均等厚で拡がると共に、容器部材開封用樹脂テープ４の収縮時には、如何なる箇所においても均等な接着力を有した接着面５ａを前記容器部材開封用樹脂テープ４の一面側４ａ及び／又は容器部材１Ａの面７に形成すべく均等厚で縮むことから、例えば、熱成形を介して面７に凹凸状の起伏部７ａが形成される開封用の容器部材１Ａに容器部材開封用樹脂テープ４を用いた場合において、起伏部７ａのみならず該起伏部７ａの起立壁７ｂが、熱成形前に熱伸縮性樹脂シート１に貼着された容器部材開封用樹脂テープ４の一部又は該樹脂テープ４の長手方向に沿って延設されるような極めて悪条件の位置に形成された場合であっても、前記起立壁７ｂに沿って開封テープ４の一部が引っ張られる際に、それぞれの間に介在する接着層５が均等な接着力を有した接着面５ａを均等厚で拡がらせることが出来、又冷却時においても、均等な接着力を有した均等厚で縮むことから、接着強度に厶ラを生じさせることなく起伏部７ａの起立壁７ｂに沿って樹脂テープ４を容易且つ確実に貼着させると共に、スムーズな分断開口を行うことが出来る物品収納容器を提供することが出来るという利点がある。【００３３】  更に、前記熱伸縮性樹脂シート１には、開封用の容器部材１Ａの成形前に自ら粘着部位を有しない容器部材開封用樹脂テープ４が、別途繰り出される熱伸縮性樹脂シート１に塗布される接着層５又は該熱伸縮性樹脂シート１と共に繰り出される前記容器部材開封用樹脂テープ４に塗布される接着層５の少なくとも何れか一方を介して該熱伸縮性樹脂シート１に貼着されるものである。
よって、例えば、容器部材開封用樹脂テープ４がライナーレステープ巻装体４Ａから繰り出された場合には、該樹脂テープ４の一面側４ａの接着層５が該樹脂テープ４の他面側４ｂの剥離剤層６から引き剥がされた際に該接着層５には気泡１７が生じることになるが、前記の如く、容器部材開封用樹脂テープ４と熱伸縮性樹脂シート１とを独立した接着層５で接着した場合には、接着層５に気泡１７が発生するのを確実に防止することが出来るという利点がある。
尚、上記の如く接着層５を介して容器部材開封用樹脂テープ４が貼り付けられた熱伸縮性樹脂シート１は、そのまま直接的に開封用の容器部材１Ａの熱成形に用いられてもよいが、一旦所定の径に巻き取られた巻装体として流通市場に配される構成であってもよいのは言うまでもなく、何れにせよ、接着層５に気泡１７を有しない容器部材開封用樹脂テープ４付きの熱伸縮性樹脂シート１を、開封用容器部材１Ａの熱成形に用いた場合には、例えば、中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【００３４】  更に、請求項１８による発明は、食品等の物品を収納する容器本体２又は該容器本体２の開口部２ａを閉塞する蓋体３の少なくとも何れか一方を形成する開封用の容器部材１Ａが熱伸縮性樹脂シート１から形成され、しかも該熱伸縮性樹脂シート１には、前記開封用の容器部材１Ａの成形前に容器部材開封用樹脂テープ４が、自ら有する接着層５を介して貼着されてなり、しかも該接着層５が容器部材開封用樹脂テープ４及び／又は容器部材１Ａの面７の熱成形時の延伸時に、如何なる箇所においても均等な接着力を有した接着面５ａを前記容器部材開封用樹脂テープ４の一面側４ａ及び／又は容器部材１Ａの面７に形成すべく均等厚で拡がると共に、容器部材開封用樹脂テープ４の収縮時には、如何なる箇所においても均等な接着力を有した接着面５ａを前記容器部材開封用樹脂テープ４の一面側４ａ及び／又は容器部材１Ａの面７に形成すべく均等厚で縮むことから、前記同様に、熱成形を介して面７に凹凸状の起伏部７ａが形成される開封用の容器部材１Ａに容器部材開封用樹脂テープ４を用いた場合において、起伏部７ａのみならず該起伏部７ａの起立壁７ｂが、熱成形前に熱伸縮性樹脂シート１に貼着された容器部材開封用樹脂テープ４の一部又は該樹脂テープ４の長手方向に沿って延設されるような極めて悪条件の位置に形成された場合であっても、前記起立壁７ｂに沿って開封テープ４の一部が引っ張られる際に、それぞれの間に介在する接着層５が均等な接着力を有した接着面５ａを均等厚で拡がらせることが出来、又冷却時においても、均等な接着力を有した均等厚で縮むことから、接着強度にムラを生じさせることなく起伏部７ａの起立壁７ｂに沿って樹脂テープ４を容易且つ確実に貼着させると共に、スムーズな分断開口を行うことが出来る物品収納容器を提供することが出来るという利点がある。【００３５】  更に、請求項１９による発明は、接着層５の接着剤組成が、金属キレートを触媒に用いると共に、２エチルヘキシルアクリレートを２０〜６０重量％、ブチルアクリレートを８０〜４０重量％の比率で配合してなることから、熱成形時において延伸及び／又は伸縮する開封テープ４及び容器部材１Ａの面７と共に、確実且つ高効率で均等な接着力を有した均等厚で拡がらせたり、均等な接着力を有した均等厚で縮ませることが出来る接着層５を有した物品収納容器を簡単且つ安価に製造することが出来ると��う利点がある。【００３６】  更に、請求項２０による発明は、接着層５の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなることから、熱成形時において延伸及び／又は伸縮する開封用樹脂テープ４及び容器部材１Ａの面７と共に、確実且つ高効率で均等な接着力を有した均等厚で拡がらせたり、均等な接着力を有した均等厚で縮ませることが出来る接着層５を具備させることが出来るだけでなく、接着層５をイソシアネート系架橋による二液型にすることで、例え、極めて引張強度の強い特性を有した樹脂を用いて開封用樹脂テープ４の幅寸法を可能な限り細くして接着層５の接着面積部位を小さくした場合であっても、接着層５の凝集力を向上させてより強い粘着力を有した容器部材開封用樹脂テープ４を備えた物品収納容器を簡単且つ安価に製造することが出来るという利点がある。【００３７】  更に、請求項２１による発明は、容器部材開封用樹脂テープ４の厚みが２０〜２００μｍ、好ましくは３０〜５０μｍである構成にしてなることから、係る開封用樹脂テープ４を、例えば、熱成形を介して面７に凹凸状の起伏部７ａが形成される開封用の容器部材１Ａに用いた場合において、金型とのクリアランスを良好に保つことが可能となり、しいては変形のない、しかも容器部材１Ａの開封時においても列断や分断のない引張強度を有した厚みの容器部材開封用樹脂テープ４を有した物品収納容器を提供することが出来るという利点がある。【００３８】  又、請求項２２による発明は、容器部材開封用樹脂テープ４の軟化点が６０℃以上であることから、係る開封用樹脂テープ４を、例えば、熱成形を介して面７に凹凸状の起伏部７ａが形成される開封用の容器部材１Ａに用いた場合であっても、熱形成時に溶けることなく熱変形しにくい良好な成形精度を備えた容器部材開封用樹脂テープ４を有した物品収納容器を提供することが出来るという利点がある。【００３９】  更に、請求項２３による発明は、容器部材開封用樹脂テープ４の流れ方向の引張り強度が１００〜２５０ＭＰａ（ＪＩＳ−Ｋ７１２７測定法時）であることから、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を備えた物品収納容器を提供することが出来るという利点がある。【００４０】  更に、請求項２４による発明は、容器部材開封用樹脂テープ４の流れ方向の破断伸度が１００〜１３０％（ＪＩＳ−Ｋ７１２７測定法時）であることから、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を備えた物品収納容器を提供することが出来るという利点がある。【００４１】  更に、請求項２５による発明は、容器部材開封用樹脂テープ４が、脂肪族ポリエステル樹脂から形成された構成にしてなることから、加熱により軟化し易く、且つ常温に戻した際には強靭で硬い腰のある開封用樹脂テープ４を、該開封用樹脂テープ４を用いる容器部材１Ａに熱成形に対して伸び率等が優れるポリスチレン等の樹脂材を使用した場合には密着性に優れるという利点がある。
よって、例えば該樹脂テープ４の幅寸法を可能な限り細くした場合であっても、延びや列断、分断のない強靭な容器部材開封用樹脂テープ４を備えた物品収納容器を提供することが出来るという利点がある。
更に、前記脂肪族ポリエステル樹脂のガラス転移温度が４〜７０℃の範囲、特に３０〜６０℃の範囲を有するものがより良好な密着性を備えるという利点を有するばかりか、光沢と透明性を備えた容器部材開封用樹脂テープ４を有した物品収納容器を提供することが出来るという利点がある。【００４２】  更に、請求項２６による発明は、接着層５が、９５℃以上、好ましくは１００℃以上で接着力及び／又は延伸性が増加すると共に、温度低下によりもとに戻る特性を有してなることから、容器部材開封用樹脂テープ４を貼着して起伏部７ａが形成される開封用の容器部材１Ａの熱成形時において、熱成形される容器部材１Ａと共に、極めて効率よく且つ確実に接着層５を均等な接着力を有した均等厚で拡がらせたり、均等な接着力を有した均等厚で縮ませることが出来る接着層５を有した容器部材１Ａを提供することが出来るだけでなく、特に１００℃以上、好ましくは１３５℃前後での熱成形に対して伸び率等が優れるポリスチレン等の樹脂材で容器部材開封用樹脂テープ４や容器部材１Ａを製造し、起伏部７ａを形成するような熱成形に用いた場合であっても、熱成形に好適な強い接着力を有した接着層５を、開封用樹脂テープ４に具備させることが出来るだけでなく、容器部材１Ａと容器部材開封用樹脂テープ４に同じ樹脂材を用いることで、熱伸縮率を同じにすることが可能となり、しいては、熱成形により開封用の容器部材１Ａの面７に材料ヒケ等の変形を抑えた凹凸状の起伏部７ａを効率よく形成することが可能な物品収納容器を提供することが出来るという利点がある。【００４３】  尚、上記接着層５の接着剤組成の主原料に、アクリル酸エステル（ソルバント型アクリル系）を用いた場合であっても、所定温度若しくは所定温度以上により接着層５の接着力及び／又は延伸性を増加させると共に、温度低下によりもとに戻る特性を接着層５に若干具備させることも可能ではあるが、必ずしもアクリル酸エステルに限定されないのは言うまでもない。【００４４】  更に、請求項２７による発明は、容器部材開封用樹脂テープ４の他面側４ｂには、剥離剤層６が設けられてなることから、容器部材１Ａに用いられる容器部材開封用樹脂テープ４の一面側４ａの接着層５に剥離紙を用いない、所謂、ライナーレステープの巻装体４Ａを使用することが可能となり、しいては剥離紙を用いない分だけ容器部材開封用樹脂テープ４の製品コストを低減することが出来るという利点を有するだけでなく、容器部材１Ａを形成する前の熱伸縮性樹脂シート１に容器部材開封用樹脂テープ４を貼着する製造工程において、剥離紙を片づけたり、処分したりする等の労働力や諸経費をなくすことが出来るという利便性に富む容器部材開封用樹脂テープ４を有した物品収納容器を提供することが出来るという利点がある。【００４５】  又、請求項２８による発明は、剥離剤層６が非シリコン系塗布剤により形成されてなることから、接着層５に剥離紙を用いない、所謂、低コストで剥離紙の処分も一切不要なライナーレステープの巻装体４Ａから容器部材開封用樹脂テープ４を製造する場合であっても、熱成形時に剥離剤層６の脱処理を全く必要としない熱成形に好適な容器部材開封用樹脂テープ４を有した物品収納容器を安価���提供することが出来るという利点がある。【００４６】  更に、請求項２９による発明は、非シリコン系塗布剤が長鎖アルキル系であることから、分子量をより高分子化することが出来、よって熱成形時に延伸及び／又は伸縮する容器部材開封用樹脂テープ４と共に剥離剤層６を容易且つ簡単に延伸及び／又は伸縮させることが可能となり、しいては容器部材開封用樹脂テープ４を貼着させた後の開封用の容器部材１Ａの熱成形時に容器部材開封用樹脂テープ４に歪みを生じさせない熱成形に好適な容器部材開封用樹脂テープ４を有した物品収納容器を提供することが出来るという利点がある。【００４７】  更に、請求項３０による発明は、容器部材開封用樹脂テープ４には、線状材１２が該容器部材開封用樹脂テープ４の長手方向に沿って設けられてなることから、材料コスト低減の為にテープ４の幅を細くした場合であっても開封用の容器部材１Ａを容易に分断開口することが出来る強度を有した容器部材開封用樹脂テープ４を有した物品収納容器を提供することが出来るという利点がある。【００４８】  又、請求項３１による発明は、容器部材開封用樹脂テープ４が複数層を形成してなることから、例えば、容器部材開封用樹脂テープ４を熱成形に好適なポリスチレン等の単層フィルムで製造した場合とポリスチレン／ポリエチレン／ポリスチレンと複数層（三層）とした場合には、単層時と比べテープ４自体の引っ張り強度を飛躍的に向上させることが可能となり、よって、材料コスト低減の為にテープ４の幅を細くした場合であっても開封用の容器部材１Ａを容易に分断開口することが出来る強度を備えた容器部材開封用樹脂テープ４を安価に提供することが出来るだけでなく、かかる容器部材開封用樹脂テープ４をより大きな高低差を有する凹凸状の起伏部７ａを備えた容器部材１Ａに用いた場合であっても、単層時と比べ幅を細くしたテープ４を起伏部７ａに沿って十分に延伸させることが出来ると共に、容器部材１Ａの分断開口時であっても容器部材開封用樹脂テープ４が中途でちぎれたりするのを複数層という強度増加構造を介して防止可能な容器部材開封用樹脂テープ４を有した物品収納容器を提供することが出来るという利点がある。【００４９】  又、請求項３２による発明は、開封用の容器部材１Ａを形成すべく容器部材開封用樹脂テープ４が接着層５を介して貼着された熱伸縮性樹脂シート１の熱成形時に、該容器部材開封用樹脂テープ４の端部が硬化すると共に、該容器部材１Ａの開封時における容器分断案内把持部位４ｃを形成することから、切り目やミシン目等の分断案内手段を別途設ける必要も一切なく、容器部材１Ａの分断開口作業を容易ならしめんとする付加価値を有した物品収納容器を提供することが出来るという利点がある。【００５０】  更に、請求項３３による発明は、熱伸縮性樹脂シート１から形成された開封用の容器部材１Ａの面７に接着層５を介して貼着された容器部材開封用樹脂テープ４の端部が、物品を収納した後に開口部を閉塞すべく熱変形する開封用の容器部材１Ａの熱変形時に硬化すると共に、該容器部材１Ａの開封時における容器分断案内把持部位４ｃを形成することから、切り目やミシン目等の分断案内手段を別途設ける必要も一切なく、容器部材１Ａの分断開口作業を容易ならしめんとする付加価値を有した物品収納容器を提供することが出来るという利点がある。【００５１】  更に、請求項３４による発明は、熱伸縮性樹脂シート１から形成された開封用の容器部材１Ａの面７に接着層５を介して貼着された容器部材開封用樹脂テープ４の一部位又は容器部材１Ａの面７の一部位の少なくとも何れか一方には、該容器部材１Ａを開封させるべく容器部材開封用樹脂テープ４の容器分断案内方向を目視及び／又は触れることで確認可能な突部１５または膨出部１６が形成されてなることから、収納物を容易に確認可能とすべく透明な透熱伸縮性樹脂シート１と透明な容器部材開封用樹脂テープ４で容器部材１Ａを形成した場合であっても、該容器部材１Ａの開封箇所や開封方向を、例えば、弱視者等であっても前記突部１５または膨出部１６に触れることで確実、且つ簡単に探し出すことが出来、しいては容器部材１Ａの分断開口作業を容易ならしめんとする好適な物品収納容器を提供することが出来るという利点がある。【００５２】  更に、請求項３５による発明は、容器部材開封用樹脂テープ４がライナーレステープ巻装体４Ａから繰り出されると共に、開封用の容器部材１Ａに形成される前の熱伸縮性樹脂シート１に接着層５を介して貼着される構成にしてなり、しかも該熱伸縮性樹脂シート１には、前記ライナーレステープ巻装体４Ａから該樹脂テープ４が繰り出される際に、該樹脂テープ４の一面側４ａの接着層５が樹脂テープ４の他面側４ｂの剥離剤層６から引き剥がされる時に該接着層５に生じる気泡１７を有して該熱伸縮性樹脂シート１と該樹脂テープ４との間に介在する接着層５から気泡１７を除去するための気泡除去処理手段が施された構成にしてなることから、接着層５に気泡１７を有しない容器部材開封用樹脂テープ４付きの熱伸縮性樹脂シート１を、開封用容器部材１Ａの熱成形に用いた場合には、例えば、中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【００５３】  更に、請求項３６による発明は、気泡除去処理手段が、熱伸縮性樹脂シート１に該樹脂テープ４が接着層５を介して貼着される際に、互いが非同期速度をとることで接着層５の気泡１７を除去する構成にしてなることから、接着層５に生じた気泡１７を該樹脂テープ４と該樹脂シート１との擦れ合いにより確実に除去することが可能となるばかりか、該樹脂テープ４が有する接着層５の接着面を熱伸縮性樹脂シート１に擦りつけることでムラなく密着させ、しいては容器部材開封用樹脂テープ４をより強固に熱伸縮性樹脂シート１に貼り付けた物品収納容器を提供することが出来るという利点がある。【００５４】  更に、請求項３７による発明は、気泡除去処理手段が、熱伸縮性樹脂シート１に該樹脂テープ４が接着層５を介して貼着される際又は貼着された後に、該樹脂テープ４の接着層５が設けられた一面側４ａを該樹脂テープ４の他面側４ｂ方向へと強制湾曲させることで接着層５を拡張させて気泡���７を除去する構成にしてなることから、熱伸縮性樹脂シート１に機械的な加工を一切加えることなく、開封用容器部材１Ａの熱成形前において、該樹脂テープ４が貼り付けられた熱伸縮性樹脂シート１を開封用容器部材１Ａの製造ライン上で所定時間強制湾曲させたり、又該樹脂テープ４が貼り付けられた熱伸縮性樹脂シート１を所定時間強制湾曲させるべく所定径の巻装体に巻き取って所定時間放置（オフライン）するだけで簡単に接着層５に生じた気泡を開封用容器部材１Ａの熱成形前に除去することが出来るという利点がある。【００５５】  又、請求項３８による発明は、ライナーレステープ巻装体４Ａから繰り出された容器部材開封用樹脂テープ４には、該樹脂テープ４が熱伸縮性樹脂シート１に貼着される前に、前記接着層５に生じる気泡１７を低減するための気泡低減処理手段が施された構成にしてなることから、ライナーレステープ巻装体４Ａから繰り出される容器部材開封用樹脂テープ４を、開封用容器部材１Ａの熱成形前の熱伸縮性樹脂シート１に貼着した場合でも、気泡１７を目立たなくすることが出来るだけでなく、次工程で控えている気泡除去処理手段により、接着層５に残っている僅かな気泡１７をより確実に除去することが可能となり、しいては中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【００５６】  更に、請求項３９による発明は、気泡低減処理手段が、前記樹脂テープ４を、一面側４ａと他面側４ｂから挟み込む一対の挟体１３を用いると共に、一面側４ａの挟体１３ａには、シリコン押圧面１４が設けられた構成にしてなることから、該接着層５に生じる気泡１７の大半を、一対の挟体１３を介して効率よく押し潰しながら次の気泡除去処理手段側へと繰り出すことが出来るだけでなく、特に接着層５の気泡１７をシリコン押圧面１４で押し潰すことで粘着力低下の極めて少ない容器部材開封用樹脂テープ４を有した物品収納容器を提供することが出来るという利点がある。
【発明の効果】
【００５７】  叙上の様に、本発明は、容器部材を形成するための熱伸縮性樹脂シートに貼着して使用される容器部材開封用樹脂テープの一面側に接着層が設けられ、且つ該接着層が熱成形時の容器部材開封用樹脂テープの延伸時に、如何なる箇所においても均等な接着力を有した接着面を前記容器部材開封用樹脂テープの一面側に形成すべく均等厚で拡がると共に、容器部材開封用樹脂テープの収縮時には、如何なる箇所においても均等な接着力を有した接着面を前記容器部材開封用樹脂テープの一面側に形成すべく均等厚で縮む構成にしてなるものである。【００５８】  よって、かかる容器部材開封用樹脂テープを、例えば、熱成形を介して面に凹凸状の起伏部が形成される開封用の容器部材に用いた場合には、起伏部のみならず該起伏部の起立壁が、熱成形前に熱伸縮性樹脂シートに貼着された容器部材開封用樹脂テープの一部又は該樹脂テープの長手方向に沿って延設されるような極めて悪条件の位置に形成された場合であっても、前記起立壁に沿って開封テープの一部が斜め上方向や斜め下方向に引っ張られる際に、それぞれの間に介在する接着層が均等な接着力を備えた接着面を有して均等厚で拡がると共に、冷却時には、均等な接着力を備えた接着面を有して均等厚で縮むことから、どの部位であっても容器部材開封用樹脂テープの接着強度にムラを生じさせることなく起伏部の起立壁に沿って開封用樹脂テープを容易且つ確実に貼着させてスムーズな容器部材の分断開口を行うことが出来るという容器部材開封用樹脂テープを市場に提供することが出来るという効果を奏するに至った。【００５９】  更に、本発明は、容器部材開封用樹脂テープを備えた物品収納容器によれば、食品等の物品を収納する容器本体又は該容器本体の開口部を閉塞する蓋体の少なくとも何れか一方を形成する開封用の容器部材が熱伸縮性樹脂シートから形成され、しかも該熱伸縮性樹脂シートには、前記開封用の容器部材の成形前に容器部材開封用樹脂テープが、自ら有する接着層を介して貼着されてなり、しかも該接着層が容器部材開封用樹脂テープ及び／又は容器部材の面の熱成形時の延伸時に、如何なる箇所においても均等な接着力を有した接着面を前記容器部材開封用樹脂テープの一面側及び／又は容器部材の面に形成すべく均等厚で拡がると共に、容器部材開封用樹脂テープの収縮時には、如何なる箇所においても均等な接着力を有した接着面を前記容器部材開封用樹脂テープの一面側及び／又は容器部材の面に形成すべく均等厚で縮む構成にしてなるものである。【００６０】  従って、例えば、熱成形を介して面に凹凸状の起伏部が形成される開封用の容器部材に容器部材開封用樹脂テープを用いた場合において、起伏部のみならず該起伏部の起立壁が、熱成形前に熱伸縮性樹脂シートに貼着された容器部材開封用樹脂テープの一部又は該樹脂テープの長手方向に沿って延設されるような極めて悪条件の位置に形成された場合であっても、前記起立壁に沿って開封テープの一部が引っ張られる際に、それぞれの間に介在する接着層が均等な接着力を有した接着面を均等厚で拡がらせることが出来、又冷却時においても、均等な接着力を有した均等厚で縮むことから、接着強度にムラを生じさせることなく起伏部の起立壁に���って樹脂テープを容易且つ確実に貼着させると共に、スムーズな分断開口を行うことが出来る物品収納容器を市場に提供することが出来るという格別な効果を奏する。【００６１】  更に、本発明における容器部材開封用樹脂テープを備えた物品収納容器によれば、容器部材開封用樹脂テープの他面側に剥離剤層を設けた場合には、容器部材に用いられる容器部材開封用樹脂テープの一面側の接着層に剥離紙を用いない、所謂、ライナーレステープの巻装体を使用することが可能となり、しいては剥離紙を用いない分だけ容器部材開封用樹脂テープの製品コストを低減することが出来るという利点を有するだけでなく、容器部材を形成する前の熱伸縮性樹脂シートに容器部材開封用樹脂テープを貼着する製造工程において、剥離紙を片づけたり、処分したりする等の労働力や諸経費をなくすことが出来るという利便性に富む容器部材開封用樹脂テープを有した物品収納容器を市場に提供することが出来るという効果を奏する。【００６２】  又、剥離剤層を非シリコン系塗布剤により形成した場合には、接着層に剥離紙を用いない、所謂、低コストで剥離紙の処分も一切不要なライナーレステープの巻装体から容器部材開封用樹脂テープを製造する際、熱成形時に剥離剤層の脱処理を全く必要としない熱成形に好適な容器部材開封用樹脂テープを有した物品収納容器を安価に提供することが出来るという効果を奏する。【００６３】  更に、非シリコン系塗布剤が長鎖アルキル系である場合には、分子量をより高分子化することが出来、よって熱成形時に延伸及び／又は伸縮する容器部材開封用樹脂テープと共に剥離剤層を容易且つ簡単に延伸及び／又は伸縮させることが可能となり、しいては容器部材開封用樹脂テープを貼着させた後の開封用の容器部材の熱成形時に容器部材開封用樹脂テープに歪みを生じさせない熱成形に好適な容器部材開封用樹脂テープを有した物品収納容器を提供することが出来るという効果を奏する。【００６４】  更に、他面側に剥離剤層を設けた場合には容器部材開封用樹脂テープをライナーレステープとすることが出来、よって、容器部材開封用樹脂テープがライナーレステープ巻装体から繰り出されると共に、開封用の容器部材に形成される前の熱伸縮性樹脂シートに接着層を介して貼着されることになるが、この時、該熱伸縮性樹脂シートに、前記ライナーレステープ巻装体から該樹脂テープが繰り出される際、該樹脂テープの一面側の接着層が樹脂テープの他面側の剥離剤層から引き剥がされる時に該接着層に生じる気泡を有して該熱伸縮性樹脂シートと該樹脂テープとの間に介在する接着層から気泡を除去するための気泡除去処理手段が施された場合には、接着層に気泡を有しない容器部材開封用樹脂テープ付きの熱伸縮性樹脂シートを、開封用容器部材の熱成形に用いることで、例えば、中身を消費者等に容易に確認可能とすべく開封用容器部材を透明の熱伸縮性樹脂シートにて熱成形した際、接着層に気泡を有しない容器部材開封用樹脂テープ（この場合には当然該開封用樹脂テープも透明を使用）越しに中身を容易に確認可能な優れた物品収納容器を提供することが出来るという効果を奏する。【００６５】  更に、気泡除去処理手段が、熱伸縮性樹脂シートに該樹脂テープが接着層を介して貼着される際に、互いが非同期速度をとることで接着層の気泡を除去する場合には、接着層に生じた気泡を該樹脂テープと該樹脂シートとの擦れ合いにより確実に除去することが可能となるばかりか、該樹脂テープが有する接着層の接着面を熱伸縮性樹脂シートに擦りつけることでムラなく密着させ、しいては容器部材開封用樹脂テープをより強固に熱伸縮性樹脂シートに貼り付けた物品収納容器を提供することが出来るという効果を奏する。【００６６】  更に、気泡除去処理手段が、熱伸縮性樹脂シートに該樹脂テープが接着層を介して貼着される際又は貼着された後に、該樹脂テープの接着層が設けられた一面側を該樹脂テープの他面側方向へと強制湾曲させることで接着層を拡張させて気泡を除去する場合には、熱伸縮性樹脂シートに機械的な加工を一切加えることなく、開封用容器部材の熱成形前において、該樹脂テープが貼り付けられた熱伸縮性樹脂シートを開封用容器部材の製造ライン上で所定時間強制湾曲させたり、又該樹脂テープが貼り付けられた熱伸縮性樹脂シートを所定時間強制湾曲させるべく所定径の巻装体に巻き取って所定時間放置（オフライン）するだけで簡単に接着層に生じた気泡を開封用容器部材の熱成形前に除去することが出来るという効果を奏する。【００６７】  又、ライナーレステープ巻装体から繰り出された容器部材開封用樹脂テープに、該樹脂テープが熱伸縮性樹脂シートに貼着される前に、前記接着層に生じる気泡を低減するための気泡低減処理手段が施された場合には、ライナーレステープ巻装体から繰り出される容器部材開封用樹脂テープを、開封用容器部材の熱成形前の熱伸縮性樹脂シートに貼着した場合でも、気泡を目立たなくすることが出来るだけでなく、次工程で控えている気泡除去処理手段により、接着層に残っている僅かな気泡をより確実に除去することが可能となり、しいては中身を消費者等に容易に確認可能とすべく開封用容器部材を透明の熱伸縮性樹脂シートにて熱成形した際、接着層に気泡を有しない容器部材開封用樹脂テープ（この場合には当然該開封用樹脂テープも透明を使用）越しに中身を容易に確認可能な優れた物品収納容器を提供することが出来るという効果を奏する。【００６８】  更に、気泡低減処理手段が、前記樹脂テープを、一面側と他面側から挟み込む一対の挟体を用いると共に、一面側の挟体には、シリコン押圧面が設けられた場合には、該接着層に生じる気泡の大半を、一対の挟体を介して効率よく押し潰しながら次の気泡除去処理手段側へと繰り出すことが出来るだけでなく、特に接着層の気泡をシリコン押圧面で押し潰すことで粘着力低下の極めて少ない容器部材開封用樹脂テープを有した物品収納容器を提供することが出来るという効果を奏する。【００６９】  更に、熱伸縮性樹脂シートに、開封用の容器部材の成形前に自ら粘着部位を有しない容器部材開封用樹脂テープが、別途繰り出される熱伸縮性樹脂シートに塗布される接着層又は該熱伸縮性樹脂シートと共に繰り出される前記容器部材開封用樹脂テープに塗布される接着層の少なくとも何れか一方を介して該熱伸縮性樹脂シートに貼着される構成であってもよい。
よって、この場合には、例えば、容器部材開封用樹脂テープがライナーレステープ巻装体から繰り出された場合には、該樹脂テープの一面側の接着層が該樹脂テープの他面側の剥離剤層から引き剥がされた際に該接着層には気泡が生じることになるが、容器部材開封用樹脂テープと熱伸縮性樹脂シートとを独立した接着層で接着した場合には、接着層に気泡が発生するのを確実に防止することが出来るという効果を奏する。
尚、上記の如く接着層を介して容器部材開封用樹脂テープが貼り付けられた熱伸縮性樹脂シートは、そのまま直接的に開封用の容器部材の熱成形に用いられてもよいが、一旦所定の径に巻き取られた巻装体として流通市場に配される構成であってもよいのは言うまでもなく、何れにせよ、接着層に気泡を有しない容器部材開封用樹脂テープ付きの熱伸縮性樹脂シートを、開封用容器部材の熱成形に用いた場合には、例えば、中身を消費者等に容易に確認可能とすべく開封用容器部材を透明の熱伸縮性樹脂シートにて熱成形した際、接着層に気泡を有しない容器部材開封用樹脂テープ（この場合には当然該開封用樹脂テープも透明を使用）越しに中身を容易に確認可能な優れた物品収納容器を市場に提供することが出来るという効果を奏する。【００７０】  更に、本発明の容器部材開封用樹脂テープを備えた物品収納容器によれば、接着層５の接着剤組成が、金属キレートを触媒に用いると共に、２エチルヘキシルアクリレートを２０〜６０重量％、ブチルアクリレートを８０〜４０重量％の比率で配合してなる場合には、熱成形時において延伸及び／又は伸縮する開封テープ及び容器部材の面と共に、確実且つ高効率で均等な接着力を有した均等厚で拡がらせたり、均等な接着力を有した均等厚で縮ませることが出来る接着層を有した物品収納容器を簡単且つ安価に製造することが出来るという効果を奏する。【００７１】  更に、本発明の容器部材開封用樹脂テープを備えた物品収納容器によれば、接着層の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなる場合には、熱成形時において延伸及び／又は伸縮する開封用樹脂テープ及び容器部材の面と共に、確実且つ高効率で均等な接着力を有した均等厚で拡がらせたり、均等な接着力を有した均等厚で縮ませることが出来る接着層を具備させることが出来るだけでなく、接着層をイソシアネート系架橋による二液型にすることで、例え、極めて引張強度の強い特性を有した樹脂を用いて開封用樹脂テープの幅寸法を可能な限り細くして接着層の接着面積部位を小さくした場合であっても、接着層の凝集力を向上させてより強い粘着力を有した容器部材開封用樹脂テープを備えた物品収納容器を簡単且つ安価に製造することが出来るという効果を奏する。【００７２】  更に、本発明の容器部材開封用樹脂テープを備えた物品収納容器によれば、容器部材開封用樹脂テープの厚みが２０〜２００μｍ、好ましくは３０〜５０μｍである構成にしてなる場合には、係る開封用樹脂テープを、例えば、熱成形を介して面に凹凸状の起伏部が形成される開封用の容器部材に用いた際、金型とのクリアランスを良好に保つことが可能となり、しいては変形のない、しかも容器部材の開封時においても列断や分断のない引張強度を有した厚みの容器部材開封用樹脂テープを有した物品収納容器を市場に提供することが出来るという効果を奏する。【００７３】  又、本発明の容器部材開封用樹脂テープを備えた物品収納容器によれば、容器部材開封用樹脂テープの軟化点が６０℃以上である場合には、係る開封用樹脂テープを、例えば、熱成形を介して面に凹凸状の起伏部が形成される開封用の容器部材に用いた場合であっても、熱形成時に溶けることなく熱変形しにくい良好な成形精度を備えた容器部材開封用樹脂テープを有した物品収納容器を市場に提供することが出来るという効果を奏する。【００７４】  更に、本発明の容器部材開封用樹脂テープを備えた物品収納容器によれば、容器部材開封用樹脂テープの流れ方向の引張り強度が１００〜２５０ＭＰａ（ＪＩＳ−Ｋ７１２７測定法時）である場合には、係る開封用樹脂テープを、例えば、熱成形を介して面に凹凸状の起伏部が形成される開封用の容器部材に用いた際でも、熱成形後の容器部材を常温で開封する際、該開封用樹脂テープの引っ張りに対して不意な列断、分断のない最適な破断強度を有した容器部材開封用樹脂テープを備えた物品収納容器を市場に提供することが出来るという効果を奏する。【００７５】  更に、本発明の容器部材開封用樹脂テープを備えた物品収納容器によれば、容器部材開封用樹脂テープの流れ方向の破断伸度が１００〜１３０％（ＪＩＳ−Ｋ７１２７測定法時）である場合には、係る開封用樹脂テープを、例えば、熱成形を介して面に凹凸状の起伏部が形成される開封用の容器部材に用いた場合であっても、熱成形後の容器部材を常温で開封する際、該開封用樹脂テープの引っ張りに対して不意な列断、分断のない最適な破断強度を有した容器部材開封用樹脂テープを備えた物品収納容器を市場に提供することが出来るという効果を奏する。【００７６】  更に、本発明の容器部材開封用樹脂テープを備えた物品収納容器によれば、容器部材開封用樹脂テープが、脂肪族ポリエステル樹脂から形成された構成にしてなる場合には、加熱により軟化し易く、且つ常温に戻した際には強靭で硬い腰のある開封用樹脂テープを、該開封用樹脂テープを用いる容器部材に熱成形に対して伸び率等が優れるポリスチレン等の樹脂材を使用した場合には密着性に優れるという利点がある。
よって、例えば該樹脂テープの幅寸法を可能な限り細くした場合であっても、延びや列断、分断のない強靭な容器部材開封用樹脂テープを備えた物品収納容器を提供することが出来るという利点がある。
更に、前記脂肪族ポリエステル樹脂のガラス転移温度が４〜７０℃の範囲、特に３０〜６０℃の範囲を有するものがより良好な密着性を備えるという利点を有するばかりか、光沢と透明性を備えた容器部材開封用樹脂テープを有した物品収納容器を市場に提供することが出来るという効果を奏する。【００７７】  又、本発明の容器部材開封用樹脂テープを備えた物品収納容器によれば、接着層が、９５℃以上、好ましくは１００℃以上で接着力及び／又は延伸性が増加すると共に、温度低下によりもとに戻る特性を有してなる場合には、容器部材開封用樹脂テープを貼着して起伏部が形成される開封用の容器部材の熱成形時において、熱成形される容器部材と共に、極めて効率よく且つ確実に接着層を均等な接着力を有した均等厚で拡がらせたり、均等な接着力を有した均等厚で縮ませることが出来る接着層を有した容器部材を提供することが出来るだけでなく、特に１００℃以上、好ましくは１３５℃前後での熱成形に対して伸び率等が優れるポリスチレン等の樹脂材で容器部材開封用樹脂テープや容器部材を製造し、起伏部を形成するような熱成形に用いた場合であっても、熱成形に好適な強い接着力を有した接着層を、開封用樹脂テープに具備させることが出来るだけでなく、容器部材と容器部材開封用樹脂テープに同じ樹脂材を用いることで、熱伸縮率を同じにすることが可能となり、しいては、熱成形により開封用の容器部材の面に材料ヒケ等の変形を抑えた凹凸状の起伏部を効率よく形成することが可能な物品収納容器を提供することが出来るという効果を奏する。【００７８】  尚、上記接着層の接着剤組成の主原料に、アクリル酸エステル（ソルバント型アクリル系）を用いた場合には、所定温度若しくは所定温度以上により接着層の接着力及び／又は延伸性を増加させると共に、温度低下によりもとに戻る特性を接着層に若干具備させることが可能であるが、必ずしもアクリル酸エステルに限定されないのは言うまでもない。【００７９】  更に、本発明の容器部材開封用樹脂テープを備えた物品収納容器によれば、容器部材開封用樹脂テープに、線状材が該容器部材開封用樹脂テープの長手方向に沿って設けられてなる場合には、材料コスト低減の為にテープの幅を細くした場合であっても開封用の容器部材を容易に分断開口することが出来る強度を有した容器部材開封用樹脂テープを有した物品収納容器を市場に提供することが出来るという効果を奏する。【００８０】  又、本発明の容器部材開封用樹脂テープを備えた物品収納容器によれば、容器部材開封用樹脂テープが複数層を形成してなる場合には、例えば、容器部材開封用樹脂テープを熱成形に好適なポリスチレン等の単層フィルムで製造した場合とポリスチレン／ポリエチレン／ポリスチレンと複数層（三層）とした際、単層時と比べテープ自体の引っ張り強度を飛躍的に向上させることが可能となり、よって、材料コスト低減の為にテープの幅を細くした場合であっても開封用の容器部材を容易に分断開口することが出来る強度を備えた容器部材開封用樹脂テープを安価に提供することが出来るだけでなく、かかる容器部材開封用樹脂テープをより大きな高低差を有する凹凸状の起伏部を備えた容器部材に用いた場合であっても、単層時と比べ幅���細くしたテープを起伏部に沿って十分に延伸させることが出来ると共に、容器部材の分断開口時であっても容器部材開封用樹脂テープが中途でちぎれたりするのを複数層という強度増加構造を介して防止可能な容器部材開封用樹脂テープを有した物品収納容器を提供することが出来るという効果を奏する。【００８１】  又、本発明の容器部材開封用樹脂テープを備えた物品収納容器によれば、開封用の容器部材を形成すべく容器部材開封用樹脂テープが接着層を介して貼着さた熱伸縮性樹脂シートの熱成形時に、該容器部材開封用樹脂テープの端部が硬化すると共に、該容器部材の開封時における容器分断案内把持部位を形成することから、切り目やミシン目等の分断案内手段を別途設ける必要も一切なく、容器部材の分断開口作業を容易ならしめんとする付加価値を有した物品収納容器を提供することが出来るという効果を奏する。【００８２】  更に、本発明の容器部材開封用樹脂テープを備えた物品収納容器によれば、熱伸縮性樹脂シートから形成された開封用の容器部材の面に接着層を介して貼着された容器部材開封用樹脂テープの端部が、物品を収納した後に開口部を閉塞すべく熱変形する開封用の容器部材の熱変形時に硬化すると共に、該容器部材の開封時における容器分断案内把持部位を形成する場合には、切り目やミシン目等の分断案内手段を別途設ける必要も一切なく、容器部材の分断開口作業を容易ならしめんとする付加価値を有した物品収納容器を提供することが出来るという効果を奏する。【００８３】  更に、本発明の容器部材開封用樹脂テープを備えた物品収納容器によれば、熱伸縮性樹脂シートから形成された開封用の容器部材の面に接着層を介して貼着された容器部材開封用樹脂テープの一部位又は容器部材の面の一部位の少なくとも何れか一方に、該容器部材を開封させるべく容器部材開封用樹脂テープの容器分断案内方向を目視及び／又は触れることで確認可能な突部または膨出部が形成されてなる場合には、収納物を容易に確認可能とすべく透明な透熱伸縮性樹脂シートと透明な容器部材開封用樹脂テープで容器部材を形成した場合であっても、該容器部材の開封箇所や開封方向を、例えば、弱視者等であっても前記突部または膨出部に触れることで確実、且つ簡単に探し出すことが出来、しいては容器部材の分断開口作業を容易ならしめんとする好適な物品収納容器を市場に提供することが出来るという効果を奏する。
【発明を実施するための最良の形態】
【００８４】  以下、本発明における容器部材開封用樹脂テープ及び該容器部材開封用樹脂テープを備えた物品収納容器の一実施形態を図面に従って説明する。【００８５】  図１乃至図３において、１は食品等の物品を収納する容器本体２又は該容器本体２の開口部２ａを閉塞する蓋体３の少なくとも何れか一方を形成する開封用の容器部材１Ａを形成すべく、例えば、ポリスチレン等からなる熱伸縮性樹脂シートを示し、４は該熱伸縮性樹脂シート１の対峙する一対の両端に跨がるように貼着されるべく、例えば２０ｍｍ前後幅で、且つ所定長の帯状に切断されたポリスチレン等からなる容器部材開封用樹脂テープを示す。【００８６】  ５は前記容器部材開封用樹脂テープ４の一面側４ａに設けられた接着層を示し、かかる接着層５の接着剤組成は、金属キレートを触媒に用いると共に、２エチルヘキシルアクリレート（ＣＨ２＝ＣＨＣＯＯＣＨ２ＣＨ（Ｃ２Ｈ５）Ｃ４Ｈ９）を２０〜６０重量％、ブチルアクリレート（ＣＨ２＝ＣＨＣＯＯＣ４Ｈ９）
を８０〜４０重量％の比率で配合してなるものである。【００８７】  ６は前記容器部材開封用樹脂テープ４の他面側４ｂに設けられた剥離剤層６を示し、該剥離剤層６は長鎖アルキル系の非シリコン系塗布剤からなるものである。【００８８】  よって、上記接着層５を有した容器部材開封用樹脂テープ４によれば、図１（ロ）に示す如く、熱成形を行わない常温時に、容器部材開封用樹脂テープ４の厚み（矢印Ｂ）、接着層５の厚み（矢印Ｃ）及び熱伸縮性樹脂シート１の厚み（矢印Ｄ）を基準とした場合において、前記接着層５の接着剤組成は、金属キレートを触媒に用いると共に、２エチルヘキシルアクリレートを２０〜６０重量％、ブチルアクリレートを８０〜４０重量％の比率で配合してなることから、同図（ハ）のように、熱成形時において、延伸（矢印Ｅ）により厚みが基準より薄くなる容器部材開封用樹脂テープ４（矢印Ｂ１）と熱伸縮性樹脂シート１（矢印Ｄ１）と共に接着層５の厚み（矢印Ｃ１）が基準より薄くなる場合でも、該接着層５は、如何なる箇所においても均等な接着力を有した接着面５ａを前記容器部材開封用樹脂テープ４の一面側４ａに形成すべく均等厚で拡がると共に、同図（ニ）に示すように、熱伸縮性樹脂シート１と容器部材開封用樹脂テープ４の収縮時（矢印Ｆ）には、厚みが基準より厚くなる容器部材開封用樹脂テープ４（矢印Ｂ２）と熱伸縮性樹脂シート１（矢印Ｄ２）と共に接着層５の厚み（矢印Ｃ２）が基準より薄くなる場合でも、該接着層５は、如何なる箇所において均等な接着力を有した接着面５ａを前記容器部材開封用樹脂テープ４の一面側４ａに形成すべく均等厚で縮む構成にしてなるものである。【００８９】  従って、かかる接着層５を有した容器部材開封用樹脂テープ４を、図２に示すように、例えば、熱成形を介して熱伸縮性樹脂シート１の面７に凹凸状の起伏部７ａが形成される開封用の容器部材１Ａに用いた場合には、起伏部７ａのみならず該起伏部７ａの起立壁７ｂが、熱成形前に熱伸縮性樹脂シート１に貼着された容器部材開封用樹脂テープ４の一部又は該樹脂テープ４の長手方向に沿って延設されるような極めて悪条件の位置に形成された場合であっても、前記起立壁７ｂに沿って開封テープ４の一部が斜め上方向や斜め下方向に引っ張られる際に、それぞれの間に介在する接着層５が均等な接着力を備えた接着面５ａを有して均等厚で拡がると共に、冷却時には、均等な接着力を備えた接着面５ａを有して均等厚で縮むことから、どの部位であっても開封テープ４の接着強度にムラを生じさせることなく起伏部７ａの起立壁７ｂに沿って樹脂テープ４を容易且つ確実に貼着させてスムーズな容器部材１Ａの分断開口を行うことが出来るという容器部材開封用樹脂テープ４を提供することが出来るという利点がある。【００９０】  更に、接着層５の接着剤組成が、金属キレートを触媒に用いると共に、２エチルヘキシルアクリレートを２０〜６０重量％、ブチルアクリレートを８０〜４０重量％の比率で配合してなることから、熱成形時において延伸及び／又は伸縮する開封テープ４及び容器部材１Ａの面７と共に、確実且つ高効率で均等な接着力を有した均等厚で拡がらせたり、均等な接着力を有した均等厚で縮ませることが出来る接着層５を有���た容器部材開封用樹脂テープ４を簡単且つ安価に製造することが出来るという利点がある。【００９１】  更に、上記接着層５の接着剤組成によれば、９５℃以上、好ましくは１００℃以上で接着力及び／又は延伸性が増加すると共に、温度低下によりもとに戻る特性を有してなることから、容器部材開封用樹脂テープ４を貼着して起伏部７ａが形成される開封用の容器部材１Ａの熱成形時において、熱成形される容器部材１Ａと共に、極めて効率よく且つ確実に接着層５を均等な接着力を有した均等厚で拡がらせたり、均等な接着力を有した均等厚で縮ませることが出来る接着層５を有した容器部材開封用樹脂テープ４を提供することが出来るだけでなく、特に１００℃以上、好ましくは１３５℃前後での熱成形に対して伸び率等が優れるポリスチレン等の樹脂材で容器部材開封用樹脂テープ４や容器部材１Ａを製造し、起伏部７ａを形成するような熱成形に用いた場合であっても、熱成形に好適な強い接着力を有した接着層５を、開封用樹脂テープ４に具備させることが出来るだけでなく、容器部材１Ａと容器部材開封用樹脂テープ４に同じ樹脂材を用いることで、熱伸縮率を同じにすることが可能となり、しいては、熱成形により開封用の容器部材１Ａの面７に材料ヒケ等の変形を抑えた凹凸状の起伏部７ａを効率よく形成することが可能な容器部材開封用樹脂テープ４を提供することが出来るという利点がある。【００９２】  尚、上記接着層５の接着剤組成の主原料に、アクリル酸エステル（ソルバント型アクリル系）を用いた場合であっても、所定温度若しくは所定温度以上により接着層５の接着力及び／又は延伸性を増加させると共に、温度低下によりもとに戻る特性を接着層５に若干具備させることも可能ではあるが、必ずしもアクリル酸エステルに限定されないのは言うまでもない。【００９３】  尚，上記実施形態において、接着層５を有した容器部材開封用樹脂テープ４の他面側４ｂには、剥離剤層６が設けられてなることから、容器部材１Ａに用いられる容器部材開封用樹脂テープ４の一面側４ａの接着層５に剥離紙を用いない、所謂、ライナーレステープの巻装体４Ａを使用することが可能となり、しいては剥離紙を用いない分だけ容器部材開封用樹脂テープ４の製品コストを低減することが出来るという利点を有するだけでなく、容器部材１Ａを形成する前の熱伸縮性樹脂シート１に容器部材開封用樹脂テープ４を貼着する製造工程において、剥離紙を片づけたり、処分したりする等の労働力や諸経費をなくすことが出来るという利便性に富む容器部材開封用樹脂テープ４を提供することが出来るという利点がある。【００９４】  更に、上記実施形態において、剥離剤層６は長鎖アルキル系の非シリコン系塗布剤からなるものである。よって、剥離剤層６が非シリコン系塗布剤により形成されてなる場合には、接着層５に剥離紙を用いない、所謂、低コストで剥離紙の処分も一切不要なライナーレステープの巻装体４Ａから容器部材開封用樹脂テープ４を製造する場合であっても、熱成形時に剥離剤層６の脱処理を全く必要としない熱成形に好適な容器部材開封用樹脂テープ４を安価に提供することが出来るという利点がある。【００９５】  更に、非シリコン系塗布剤が長鎖アルキル系である場合には、分子量をより高分子化することが出来、よって熱成形時に延伸及び／又は伸縮する容器部材開封用樹脂テープ４と共に剥離剤層６を容易且つ簡単に延伸及び／又は伸縮させることが可能となり、しいては容器部材開封用樹脂テープ４を貼着させた後の開封用の容器部材１Ａの熱成形時に容器部材開封用樹脂テープ４に歪みを生じさせない熱成形に好適な容器部材開封用樹脂テープ４を提供することが出来るという利点がある。【００９６】  更に、図５に示すように、例えば、上記の如く熱伸縮性樹脂シート１に貼着されて用いられる容器部材開封用樹脂テープ４に、例えば、綿糸等の線状材１２が該容器部材開封用樹脂テープ４の長手方向に沿って設けられていてもよく、この場合には、材料コスト低減の為にテープ４の幅を細くした場合であっても開封用の容器部材１Ａを容易に分断開口することが出来る強度を有した容器部材開封用樹脂テープ４を提供することが出来るという利点がある。【００９７】  更に、容器部材開封用樹脂テープ４が複数層（図示せず）を形成していてもよく、この場合には、例えば、容器部材開封用樹脂テープ４を熱成形に好適なポリスチレン等の単層フィルムで製造した場合とポリスチレン／ポリエチレン／ポリスチレンの複数層（三層）とした場合において、単層時と比ベテープ４自体の引っ張り強度を飛躍的に向上させることが可能となり、よって、材料コスト低減の為にテープ４の幅を細くした場合であっても開封用の容器部材１Ａを容易に分断開口することが出来る強度を備えた容器部材開封用樹脂テープ４を安価に提供することが出来るだけでなく、かかる容器部材開封用樹脂テープ４をより大きな高低差を有する凹凸状の起伏部７ａを備えた容器部材１Ａに用いた場合であっても、単層時と比べ幅を細くしたテープ４を起伏部７ａに沿って十分に延伸させることが出来ると共に、容器部材１Ａの分断開口時であっても容器部材開封用樹脂テープ４が中途でちぎれたりするのを複数層という強度増加構造を介して防止することが出来るという利点がある。【００９８】  尚、上記の如く容器部材開封用樹脂テープ４を複数層で形成し、且つ該樹脂テープ４の内部または外部の何れかに線状材１２を用いた場合には、更に材料コストを低減することが出来る極細の超強度増加構造を有した樹脂テープ４を提供することが出来るという利点がある。【００９９】  更に、接着層５の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合されてなる場合には、熱成形時において延伸及び／又は伸縮する開封用樹脂テープ４及び容器部材１Ａの面７と共に、確実且つ高効率で均等な接着力を有した均等厚で拡がらせたり、均等な接着力を有した均等厚で縮ませることが出来る接着層５を具備させることが出来るだけでなく、接着層５をイソシアネート系架橋による二液型にすることで、例え、極めて引張強度の強い特性を有した樹脂を用いて開封用樹脂テープ４の幅寸法を可能な限り細くして接着層５の接着面積部位を小さくした場合であっても、接着層５の凝集力を向上させてより強い粘着力を有した容器部材開封用樹脂テープ４���簡単且つ安価に製造することが出来るという利点がある。【０１００】  更に、容器部材開封用樹脂テープ４の厚みが２０〜２００μｍ、好ましくは３０〜５０μｍである場合には、係る開封用樹脂テープ４を、例えば、熱成形を介して面７に凹凸状の起伏部７ａが形成される開封用の容器部材１Ａに用いた場合において、金型とのクリアランスを良好に保つことが可能となり、しいては変形のない、しかも容器部材１Ａの開封時においても列断や分断のない引張強度を有した厚みの容器部材開封用樹脂テープ４を提供することが出来るという利点がある。【０１０１】  更に、容器部材開封用樹脂テープ４の軟化点が６０℃以上の場合には、係る開封用樹脂テープ４を、例えば、熱成形を介して面７に凹凸状の起伏部７ａが形成される開封用の容器部材１Ａに用いた場合であっても、熱形成時に溶けることなく熱変形しにくい良好な成形精度を備えた容器部材開封用樹脂テープ４を提供することが出来るという利点がある。【０１０２】  又、容器部材開封用樹脂テープ４の流れ方向の引張り強度が１００〜２５０ＭＰａ（ＪＩＳ−Ｋ７１２７測定法時）である場合には、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引張方向に対して作業性を損なうような延びや列断、分断を生じることのない最適な引張強度を有した容器部材開封用樹脂テープ４を提供することが出来るという利点がある。【０１０３】  更に、容器部材開封用樹脂テープ４の流れ方向の破断伸度が１００〜１３０％（ＪＩＳ−Ｋ７１２７測定法時）である場合には、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を提供することが出来るという利点がある。【０１０４】  更に、容器部材開封用樹脂テープ４が、脂肪族ポリエステル樹脂から形成された場合には、加熱により軟化し易く、且つ常温に戻した際には強靱で硬い腰のある開封用樹脂テープ４として提供することが出来るという利点を有するだけでなく、特に該開封用樹脂テープ４を用いる容器部材１Ａに熱成形に対して伸び率等が優れるポリスチレン等の樹脂材を使用した場合には密着性に優れるという利点がある。
よって、例えば該樹脂テープ４の幅寸法を可能な限り細くした場合であっても、延びや列断、分断のない強靱な容器部材開封用樹脂テープ４を提供することが出来るという利点がある。
更に、前記脂肪族ポリエステル樹脂のガラス転移温度が４〜７０℃の範囲、特に３０〜６０℃の範囲を有するものがより良好な密着性を備えるという利点を有するばかりか、光沢と透明性を備えた容器部材開封用樹脂テープ４を提供することが出来るという利点がある。【０１０５】  又、容器部材開封用樹脂テープ４が、使用前においてライナーレステープ巻装体４Ａを形成してなり、しかも使用時にライナーレステープ巻装体４Ａから繰り出された該樹脂テープ４には、該樹脂テープ４の一面側４ａの接着層５が該樹脂テープ４の他面側４ｂの剥離剤層６から引き剥がされた際に該接着層５に生じる気泡１７を低減するための気泡低減処理手段が施された場合には、ライナーレステープ巻装体４Ａから繰り出される容器部材開封用樹脂テープ４を、開封用容器部材１Ａの熱成形前の熱伸縮性樹脂シート１に貼着した場合には、気泡１７の目立たない容器部材開封用樹脂テープ４を提供することが可能となり、特に中身を消費者等に容易に確認可能とすべく開封用容器部材１Ａを透明の熱伸縮性樹脂シート１にて熱成形する場合であっても、容器部材開封用樹脂テープ４越しに中身を容易に確認可能な利便性に富む容器部材開封用樹脂テープ４として提供することが出来るという利点がある。【０１０６】  更に、気泡低減処理手段が、前記樹脂テープ４を、一面側４ａと他面側４ｂから挟み込む一対の挟体１３を用いると共に、一面側４ａの挟体１３ａに、シリコン押圧面１４が設けられた場合には、該樹脂テープ４の一面側４ａの接着層５が該樹脂テープ４の他面側４ｂの剥離剤層６から引き剥がされた際に該接着層５に生じる気泡１７の大半を、一対の挟体１３を介して効率よく押し潰しながら先の加工工程へと繰り出すことが出来るだけでなく、特に接着層５の気泡１７をシリコン押圧面１４で押し潰すことで粘着力低下の極めて少ない容器部材開封用樹脂テープ４を提供することが出来るという利点がある。【０１０７】  上記実施形態では、接着層５が熱成形時の容器部材開封用樹脂テープ４の延伸時に、如何なる箇所においても均等な接着力を有した接着面５ａを前記容器部材開封用樹脂テープ４の一面側４ａに形成すべく均等厚で拡がると共に、容器部材開封用樹脂テープ４の収縮時には、如何なる箇所においても均等な接着力を有した接着面５ａを前記容器部材開封用樹脂テープ４の一面側４ａに形成したく均等厚で縮む構成にしてなる接着層５を有した容器部材開封用樹脂テープ４に関して説明したが、本発明は必ずしも接着層５を有した容器部材開封用樹脂テープ４のみに限定されるものではない。【０１０８】  即ち、図３に示すように、上記の如く構成にしてなる接着層５を備えた物品収納容器を提供してもよい。
かかる物品収納容器は、食品等の物品を収納する容器本体２又は該容器本体２の開口部２ａを閉塞（矢印Ｈ）する蓋体３の少なくとも何れか一方を形成する開封用の容器部材１Ａが熱伸縮性樹脂シート１から形成されたものであり、しかも該熱伸縮性樹脂シート１から形成された開封用の容器部材１Ａの面７（この場合は蓋体３であるが、必ずしも蓋体３に限定されるものではなく、容器本体２が開封用の容器部材１Ａとして接着層５を介して容器部材開封用樹脂テープ４を有していてもよい。）に、容器部材開封用樹脂テープ４が、該容器部材開封用樹脂テープ４に設けられた接着層５又は容器部材１Ａの面７に設けられた接着層５の少なくとも何れか一方を介して貼着された構成にしてなるものである。【０１０９】  尚、上記の如く、容器部材１Ａを容器本体２と蓋体３とから形成した場合、通常、容器本体の開口周縁部に形成された凸部又は凹部と、蓋の周縁部に形成された凹部又は凸部を互いに嵌合して閉塞するタイプのものと、一方側である蓋又は容器本体の周縁部を他方側の周縁部に熱収縮を介して巻き付けるような状態で閉塞するシュリンクタイプの二通りが主流であるが、実施形態は後者シュリンクタイプのものを示す。【０１１０】  よって、蓋体３として用いられる容器部材１Ａには、蓋体３で容器本体２を閉塞した際、容器本体２の開口部２ａの周囲に形成された周縁部位１０に熱収縮を介して蓋体３の周縁を巻き付けて物品収納容器を閉塞するための鍔部位９が設けられている。【０１１１】  更に、接着層５を介して容器部材開封用樹脂テープ４が貼着された蓋体３として用いられる容器部材１Ａの鍔部位９には、熱収縮を介して容器本体２の周縁部位１０に鍔部位９を巻き付け固着してなる蓋体３より、前記容器部材開封用樹脂テープ４を容易に把持して該蓋体３を簡単に分断開口させるべく容器部材開封用樹脂テープ４の幅ピッチで穿設された分断案内手段としての二条の切り目８が設けられている。【０１１２】  よって、物品収納容器が上記のような蓋体３と容器本体２とからなる場合であっても、接着層５が容器部材開封用樹脂テープ４及び／又は容器部材１Ａの面７の熱成形時の延伸時に、如何なる箇所においても均等な接着力を有した接着面５ａを前記容器部材開封用樹脂テープ４の一面側４ａ及び／又は容器部材１Ａの面７に形成すべく均等厚で拡がると共に、容器部材開封用樹脂テープ４の収縮時には、如何なる箇所においても均等な接着力を有した接着面５ａを前記容器部材開封用樹脂テープ４の一面側４ａ及び／又は容器部材１Ａの面７に形成すべく均等厚で縮むものである。【０１１３】  従って、例えば、熱成形を介して面７に凹凸状の起伏部７ａが形成される開封用の容器部材１Ａ（実施形態は蓋体３）に容器部材開封用樹脂テープ４を用いた場合において、起伏部７ａのみならず該起伏部７ａの起立壁７ｂが、熱成形前に熱伸縮性樹脂シート１に貼着された容器部材開封用樹脂テープ４の一部又は該樹脂テープ４の長手方向に沿って延設されるような極めて悪条件の位置に形成された場合であっても、前記起立壁７ｂに沿って開封テープ４の一部が斜め上方向や斜め下方向に引っ張られる際に、それぞれの間に介在する接着層５が均等な接着力を有した接着面５ａを均等厚��拡がらせることが出来、又冷却時においても、均等な接着力を有した均等厚で縮むことから、接着強度にムラを生じさせることなく起伏部７ａの起立壁７ｂに沿って樹脂テープ４を容易且つ確実に貼着させると共に、スムーズな分断開口を行うことが出来る物品収納容器を提供することが出来るという利点がある。【０１１４】  更に、上記容器部材開封用樹脂テープ４を有した物品収納容器に用いられる接着層５の接着剤組成が、金属キレートを触媒に用いると共に、２エチルヘキシルアクリレートを２０〜６０重量％、ブチルアクリレートを８０〜４０重量％の比率で配合してなる場合には熱成形時において延伸及び／又は伸縮する開封テープ４及び容器部材１Ａの面７と共に確実且つ高効率で均等な接着力を有した均等厚で拡がらせたり、均等な接着力を有した均等厚で縮ませることが出来る接着層５を有した物品収納容器を簡単且つ安価に製造することが出来るという利点がある。【０１１５】  又、上記接着剤組成によれば、９５℃以上、好ましくは１００℃以上で接着力及び／又は延伸性が増加すると共に、温度低下によりもとに戻る特性を有することから、容器部材開封用樹脂テープ４を貼着して起伏部７ａが形成される開封用の容器部材１Ａの熱成形時において、熱成形される容器部材１Ａと共に、極めて効率よく且つ確実に接着層５を均等な接着力を有した均等厚で拡がらせたり、均等な接着力を有した均等厚で縮ませることが出来る接着層５を有した容器部材１Ａを提供することが出来るだけでなく、特に１００℃以上、好ましくは１３５℃前後での熱成形に対して伸び率等が優れるポリスチレン等の樹脂材で容器部材開封用樹脂テープ４や容器部材１Ａを製造し、起伏部７ａを形成するような熱成形に用いた場合であっても、熱成形に好適な強い接着力を有した接着層５を、開封用樹脂テープ４に具備させることが出来るだけでなく、容器部材１Ａと容器部材開封用樹脂テープ４に同じ樹脂材を用いることで、熱伸縮率を同じにすることが可能となり、しいては、熱成形により開封用の容器部材１Ａの面７に材料ヒケ等の変形を抑えた凹凸状の起伏部７ａを効率よく形成することが可能な物品収納容器を提供することが出来るという利点がある。【０１１６】  尚、上記接着層５の接着剤組成の主原料に、アクリル酸エステル（ソルバント型アクリル系）を用いた場合であっても、所定温度若しくは所定温度以上により接着層５の接着力及び／又は延伸性を増加させると共に、温度低下によりもとに戻る特性を接着層５に若干具備させることも可能ではあるが、必ずしもアクリル酸エステルに限定されないのは言うまでもない。【０１１７】  更に、容器部材開封用樹脂テープ４の他面側４ｂに、剥離剤層６が設けられてなる場合には、容器部材１Ａに用いられる容器部材開封用樹脂テープ４の一面側４ａの接着層５に剥離紙を用いない、所謂、ライナーレステープの巻装体４Ａを使用することが可能となり、しいては剥離紙を用いない分だけ容器部材開封用樹脂テープ４の製品コストを低減することが出来るという利点を有するだけでなく、容器部材１Ａを形成する前の熱伸縮性樹脂シート１に容器部材開封用樹脂テープ４を貼着する製造工程において、剥離紙を片づけたり、処分したりする等の労働力や諸経費をなくすことが出来るという利便性に富む容器部材開封用樹脂テープ４を有した物品収納容器を提供することが出来るという利点がある。【０１１８】  又、剥離剤層６が非シリコン系塗布剤により形成されてなる場合には、接着層５に剥離紙を用いない、所謂、低コストで剥離紙の処分も一切不要なライナーレステープの巻装体４Ａから容器部材開封用樹脂テープ４を製造する場合であっても、熱成形時に剥離剤層６の脱処理を全く必要としない熱成形に好適な容器部材開封用樹脂テープ４を有した物品収納容器を安価に提供することが出来るという利点がある。【０１１９】  更に、剥離剤層６の非シリコン系塗布剤が長鎖アルキル系である場合には、分子量をより高分子化することが出来、よって熱成形時に延伸及び／又は伸縮する容器部材開封用樹脂テープ４と共に剥離剤層６を容易且つ簡単に延伸及び／又は伸縮させることが可能となり、しいては容器部材開封用樹脂テープ４を貼着させた後の開封用の容器部材１Ａの熱成形時に容器部材開封用樹脂テープ４に歪みを生じさせない熱成形に好適な容器部材開封用樹脂テープ４を有した物品収納容器を提供することが出来るという利点がある。【０１２０】  更に、図５に示すように、容器部材開封用樹脂テープ４に、線状材１２が該容器部材開封用樹脂テープ４の長手方向に沿って設けられてなる場合には、材料コスト低減の為にテープ４の幅を細くした場合であっても開封用の容器部材１Ａを容易に分断開口することが出来る強度を有した容器部材開封用樹脂テープ４を有した物品収納容器を提供することが出来るという利点がある。【０１２１】  又、容器部材開封用樹脂テープ４が複数層（図示せず）を形成してなる場合には、例えば、容器部材開封用樹脂テープ４を熱成形に好適なポリスチレン等の単層フィルムで製造した場合とポリスチレン／ポリエチレン／ポリスチレンと複数層（三層）とした場合に、単層時と比べテープ４自体の引っ張り強度を飛躍的に向上させることが可能となり、よって、材料コスト低減の為にテープ４の幅を細くした場合であっても開封用の容器部材１Ａを容易に分断開口することが出来る強度を備えた容器部材開封用樹脂テープ４を安価に提供することが出来るだけでなく、かかる容器部材開封用樹脂テープ４をより大きな高低差を有する凹凸状の起伏部７ａを備えた容器部材１Ａに用いた場合であっても、単層時と比べ幅を細くしたテープ４を起伏部７ａに沿って十分に延伸させることが出来ると共に、容器部材１Ａの分断開口時であっても容器部材開封用樹脂テープ４が中途でちぎれたりするのを複数層という強度増加構造を介して防止可能な容器部材開封用樹脂テープ４を有した物品収納容器を提供することが出来るという利点がある。【０１２２】  尚、上記の如く容器部材開封用樹脂テープ４を複数層で形成し、且つ該樹脂テープ４の内部または外部の何れかに線状材１２を用いた場合には、更に材料コストを低減することが出来る極細の超強度増加構造を有した容器部材開封用樹脂テープ４を備えた物品収納容器を提供することが出来るという利点がある。【０１２３】  又、図４（イ）に示すように、開封用の容器部材１Ａを形成すべく容器部材開封用樹脂テープ４が接着層５を介して貼着された熱伸縮性樹脂シート１の熱成形時に、該容器部材開封用樹脂テープ４の端部が硬化すると共に、該容器部材１Ａの開封時における容器分断案内把持部位４ｃを形成した場合には、切り目やミシン目等の分断案内手段を別途設ける必要も一切なく、容器部材１Ａの分断開口作業を容易ならしめんとする付加価値を有した物品収納容器を提供することが出来るという利点がある。【０１２４】  更に、熱伸縮性樹脂シート１から形成された開封用の容器部材１Ａの面７に接着層５を介して貼着された容器部材開封用樹脂テープ４の端部が、物品を収納した後に開口部を閉塞すべく熱変形する開封用の容器部材１Ａの熱変形時に硬化すると共に、該容器部材１Ａの開封時における容器分断案内把持部位４ｃを形成した場合には、切り目やミシン目等の分断案内手段を別途設ける必要も一切なく、容器部材１Ａの分断開口作業を容易ならしめんとする付加価値を有した物品収納容器を提供することが出来るという利点がある。【０１２５】  尚、上記容器分断案内把持部位４ｃが、同図（ロ）のように、開封用の容器部材１Ａの対峙する対角線上に設けられていてもよく、要は開封用の容器部材１Ａを分断開口すべく容器部材１Ａの対峙する端部に跨がるように容器部材開封用樹脂テープ４が貼着され、その一端部に容器分断案内把持部位４ｃが形成されていればよい。【０１２６】  上記実施形態において、食品等の物品を収納する容器本体２又は該容器本体２の開口部２ａを閉塞する蓋体３の少なくとも何れか一方を形成する開封用の容器部材１Ａを形成するための熱伸縮性樹脂シート１及び容器部材開封用樹脂テープ４にはポリスチレンを用いたが、要は熱成形に適応可能であれば具体的な樹脂材の種類や材厚等も全く限定されるものではない。【０１２７】  更に、上記実施形態において、接着層５の接着剤組成は、金属キレートを触媒に用いると共に、２エチルヘキシルアクリレートを２０〜６０重量％、ブチルアクリレートを８０〜４０重量％の比率で配合してなるが、必ずしもこれに限定されるものではなく、要は熱成形時において、延伸により厚みが基準より薄くなる容器部材開封用樹脂テープ４及び熱伸縮性樹脂シート１と共に接着層５の厚みが基準より薄くなっても、接着層５が如何なる箇所においても均等な接着力を有した接着面５ａを容器部材開封用樹脂テープ４の一面側４ａに形成すべく均等厚で拡がると共に、熱伸縮性樹脂シート１と容器部材開封用樹脂テープ４の収縮時には、厚みが基準より厚くなる容器部材開封用樹脂テープ４と熱伸縮性樹脂シート１と共に接着層５の厚みが基準より薄くなっても、接着層５が如何なる箇所においても均等な接着力を有した接着面５ａを前記容器部材開封用樹脂テープ４の一面側４ａに形成すべく均等厚で縮むものであれば、具体的な接着層５の接着剤組成は適宜変更してもよく、必ずしも２エチルヘキシルアクリレートとブチルアクリレートのとの所定比率の配合が本発明の必須の要件ではないのは言う迄もない。【０１２８】  更に、上記実施形態において、容器部材開封用樹脂テープ４の他面側４ｂには長鎖アルキル系の非シリコン系塗布剤からなる剥離剤層６が設けられてなるが、必ずしも長鎖アルキル系である必要はなく、他の種類の非シリコン系塗布剤でもよいが、熱成形時に剥離��層６の脱処理を全く必要としない熱成形に好適なものとしては非シリコン系塗布剤が好ましい。【０１２９】  更に、上記実施形態において、容器部材開封用樹脂テープ４に綿糸等の線状材１２を設けたが、必ずしもこれに限らず、ナイロン等の樹脂糸であってもよく、要は容器部材開封用樹脂テープ４の長手方向に沿って設けられることでテープ４の幅を細くした場合であっても開封用の容器部材１Ａを容易に分断開口することが出来る強度を容器部材開封用樹脂テープ４に具備させることが出来るものであれば線状材１２の具体的な材質、線径、数量等も決して限定されないのは言うまでもない。【０１３０】  更に、上記実施形態において、容器部材開封用樹脂テープ４が複数層を形成した場合について説明したが、必ずしもポリスチレン／ポリエチレン／ポリスチレンの複数層（三層）に限定されるものではなく、層を形成する樹脂材の具体的な種類、層数も決して限定されるものではない。【０１３１】  更に、容器部材開封用樹脂テープを備えた容器部材として、食品等の物品を収納する容器本体２又は該容器本体２の開口部２ａを閉塞する蓋体３の少なくとも何れか一方を形成する開封用の容器部材１Ａが熱伸縮性樹脂シート３から形成され、しかも該熱伸縮性樹脂シート１には、前記開封用の容器部材１Ａの成形前に自ら粘着部位を有しない容器部材開封用樹脂テープ４が、別途繰り出される熱伸縮性樹脂シート１に塗布される接着層５又は該熱伸縮性樹脂シート１と共に繰り出される前記容器部材開封用樹脂テープ４に塗布される接着層５の少なくとも何れか一方を介して該熱伸縮性樹脂シート１に貼着され、しかも該接着層５が容器部材開封用樹脂テープ４及び／又は容器部材１Ａの面７の熱成形時の延伸時に、如何なる箇所においても均等な接着力を有した接着面５ａを前記容器部材開封用樹脂テープ４の一面側４ａ及び／又は容器部材１Ａの面７に形成すべく均等厚で拡がると共に、容器部材開封用樹脂テープ４の収縮時には、如何なる箇所においても均等な接着力を有した接着面５ａを前記容器部材開封用樹脂テープ４の一面側４ａ及び／又は容器部材１Ａの面７に形成すべく均等厚で縮む場合には、上記実施形態同様に、熱成形を介して面７に凹凸状の起伏部７ａが形成される開封用の容器部材１Ａに容器部材開封用樹脂テープ４を用いた場合において、起伏部７ａのみならず該起伏部７ａの起立壁７ｂが、熱成形前に熱伸縮性樹脂シート１に貼着された容器部材開封用樹脂テープ４の一部又は該樹脂テープ４の長手方向に沿って延設されるような極めて悪条件の位置に形成された場合であっても、前記起立壁７ｂに沿って開封テープ４の一部が引っ張られる際に、それぞれの間に介在する接着層５が均等な接着力を有した接着面５ａを均等厚で拡がらせることが出来、又冷却時においても、均等な接着力を有した均等厚で縮むことから、接着強度にムラを生じさせることなく起伏部７ａの起立壁７ｂに沿って樹脂テープ４を容易且つ確実に貼着させると共に、スムーズな分断開口を行うことが出来る物品収納容器を提供することが出来るという利点がある。【０１３２】  尚、上記の如く、熱伸縮性樹脂シート１に、開封用の容器部材１Ａの成形前に自ら粘着部位を有しない容器部材開封用樹脂テープ４が、別途繰り出される熱伸縮性樹脂シート１に塗布される接着層５又は該熱伸縮性樹脂シート１と共に繰り出される前記容器部材開封用樹脂テープ４に塗布される接着層５の少なくとも何れか一方を介して該熱伸縮性樹脂シート１に貼着される場合には、上記実施形態の如く、容器部材開封用樹脂テープ４がライナーレステープ巻装体４Ａから繰り出された際、該樹脂テープ４の一面側４ａの接着層５が該樹脂テープ４の他面側４ｂの剥離剤層６から引き剥がされた際に該接着層５には気泡１７が生じることになるが、前記の如く、容器部材開封用樹脂テープ４と熱伸縮性樹脂シート１とを独立した接着層５で接着した場合には、接着層５に気泡１７が発生するのを確実に防止することが出来るという利点がある。
尚、上記の如く接着層５を介して容器部材開封用樹脂テープ４が貼り付けられた熱伸縮性樹脂シート１は、そのまま直接的に開封用の容器部材１Ａの熱成形に用いられてもよいが、一旦所定の径に巻き取られた巻装体として流通市場に配される構成であってもよいのは言うまでもなく、何れにせよ、接着層５に気泡１７を有しない容器部材開封用樹脂テープ４付きの熱伸縮性樹脂シート１を、開封用容器部材１Ａの熱成形に用いた場合には、例えば、中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【０１３３】  更に、上記開封用の容器部材１Ａにおいて、接着層５の接着剤組成が、２エチルヘキシルアクリレートを２０〜６０重量％、ブチルアクリレートを８０〜４０重量％の比率で主剤をなし、且つイソシアネート系架橋剤が前記主剤１００重量％に対して０、２〜５重量％配合された場合には、熱成形時において延伸及び／又は伸縮する開封用樹脂テープ４及び容器部材１Ａの面７と共に、確実且つ高効率で均等な接着力を有した均等厚で拡がらせたり、均等な接着力を有した均等厚で縮ませることが出来る接着層５を具備させることが出来るだけでなく、接着層５をイソシアネート系架橋による二液型にすることで、例え、極めて引張強度の強い特性を有した樹脂を用いて開封用樹脂テープ４の幅寸法を可能な限り細くして接着層５の接着面積部位を小さくした場合であっても、接着層５の凝集力を向上させてより強い粘着力を有した容器部材開封用樹脂テープ４を備えた物品収納容器を簡単且つ安価に製造することが出来るという利点がある。【０１３４】  更に、開封用の容器部材１Ａにおいて、容器部材開封用樹脂テープ４の厚みが２０〜２００μｍ、好ましくは３０〜５０μｍである場合には、係る開封用樹脂テープ４を、例えば、熱成形を介して面７に凹凸状の起伏部７ａが形成される開封用の容器部材１Ａに用いた場合において、金型とのクリアランスを良好に保つことが可能となり、しいては変形のない、しかも容器部材１Ａの開封時においても列断や分断のない引張強度を有した厚みの容器部材開封用樹脂テープ４を有した物品収納容器を提供することが出来るという利点がある。【０１３５】  又、開封用の容器部材１Ａにおいて、容器部材開封用樹脂テープ４の軟化点が６０℃以上である場合には、係る開封用樹脂テープ４を、例えば、熱成形を介して面７に凹凸状の起伏部７ａが形成される開封用の容器部材１Ａに用いた場合であっても、熱形成時に溶けることなく熱変形しにくい良好な成形精度を備えた容器部材開封用樹脂テープ４を有した物品収納容器を提供することが出来るという利点がある。【０１３６】  更に、開封用の容器部材１Ａにおいて、容器部材開封用樹脂テープ４の流れ方向の引張り強度が１００〜２５０ＭＰａ（ＪＩＳ−Ｋ７１２７測定法時）である場合には、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を備えた物品収納容器を提供することが出来るという利点がある。【０１３７】  更に、開封用の容器部材１Ａにおいて、容器部材開封用樹脂テープ４の流れ方向の破断伸度が１００〜１３０％（ＪＩＳ−Ｋ７１２７測定法時）である場合には、係る開封用樹脂テープ４を、例えば、熱成形を介して面７に凹凸状の起伏部７ａが形成される開封用の容器部材１Ａに用いた場合であっても、熱成形後の容器部材１Ａを常温で開封する際、該開封用樹脂テープ４の引っ張りに対して不意な列断、分断のない最適な破断強度を有した容器部材開封用樹脂テープ４を備えた物品収納容器を提供することが出来るという利点がある。【０１３８】  更に、開封用の容器部材１Ａにおいて、容器部材開封用樹脂テープ４が、脂肪族ポリエステル樹脂から形成された場合には、加熱により軟化し易く、且つ常温に戻した際には強靭で硬い腰のある開封用樹脂テープ４を、該開封用樹脂テープ４を用いる容器部材１Ａに熱成形に対して伸び率等が優れるポリスチレン等の樹脂材を使用した場合には密着性に優れるという利点がある。
よって、例えば該樹脂テープ４の幅寸法を可能な限り細くした場合であっても、延びや列断、分断のない強靭な容器部材開封用樹脂テープ４を備えた物品収納容器を提供することが出来るという利点がある。
更に、前記脂肪族ポリエステル樹脂のガラス転移温度が４〜７０℃の範囲、特に３０〜６０℃の範囲を有するものがより良好な密着性を備えるという利点を有するばかりか、光沢と透明性を備えた容器部材開封用樹脂テープ４を有した物品収納容器を提供することが出来るという利点がある。【０１３９】  更に、開封用の容器部材１Ａにおいて、熱伸縮性樹脂シート１から形成された開封用の容器部材１Ａの面７に接着層５を介して貼着された容器部材開封用樹脂テープ４の一部位又は容器部材１Ａの面７の一部位の少なくとも何れか一方に、該容器部材１Ａを開封させるべく容器部材開封用樹脂テープ４の容器分断案内方向を目視及び／又は触れることで確認可能な突部１５または膨出部１６が形成されてなる場合には、収納物を容易に確認可能とすべく透明な透熱伸縮性樹脂シート１と透明な容器部材開封用樹脂テープ４で容器部材１Ａを形成した場合であっても、該容器部材１Ａの開封箇所や開封方向を、例えば、弱視者等であっても前記突部１５または膨出部１６に触れることで確実、且つ簡単に探し出すことが出来、しいては容器部材１Ａの分断開口作業を容易ならしめんとする好適な物品収納容器を提供することが出来るという利点がある。【０１４０】  更に、容器部材開封用樹脂テープ４がライナーレステープ巻装体４Ａから繰り出されると共に、開封用の容器部材１Ａに形成される前の熱伸縮性樹脂シート１に接着層５を介して貼着される構成にしてなり、しかも該熱伸縮性樹脂シート１には、前記ライナーレステープ巻装体４Ａから該樹脂テープ４が繰り出される際に、該樹脂テープ４の一面側４ａの接着層５が樹脂テープ４の他面側４ｂの剥離剤層６から引き剥がされる時に該接着層５に生じる気泡１７を有して該熱伸縮性樹脂シート１と該樹脂テープ４との間に介在する接着層５から気泡１７を除去するための気泡除去処理手段が施された場合には、接着層５に気泡１７を有しない容器部材開封用樹脂テープ４付きの熱伸縮性樹脂シート１を、開封用容器部材１Ａの熱成形に用いた場合には、例えば、中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【０１４１】  更に、上記気泡除去処理手段が、熱伸縮性樹脂シート１に該樹脂テープ４が接着層５を介して貼着される際に、互いが非同期速度をとることで接着層５の気泡１７を除去する場合には、接着層５に生じた気泡１７を該樹脂テープ４と該樹脂シート１との擦れ合いにより確実に除去することが可能となるばかりか、該樹脂テープ４が有する接着層５の接着面を熱伸縮性樹脂シート１に擦りつけることでムラなく密着させ、しいては容器部材開封用樹脂テープ４をより強固に熱伸縮性樹脂シート１に貼り付けた物品収納容器を提供することが出来るという利点がある。【０１４２】  更に、上記気泡除去処理手段が、熱伸縮性樹脂シート１に該樹脂テープ４が接着層５を介して貼着される際又は貼着された後に、該樹脂テープ４の接着層５が設けられた一面側４ａを該樹���テープ４の他面側４ｂ方向へと強制湾曲させることで接着層５を拡張させて気泡１７を除去する場合には、熱伸縮性樹脂シート１に機械的な加工を一切加えることなく、開封用容器部材１Ａの熱成形前において、該樹脂テープ４が貼り付けられた熱伸縮性樹脂シート１を開封用容器部材１Ａの製造ライン上で所定時間強制湾曲させたり、又該樹脂テープ４が貼り付けられた熱伸縮性樹脂シート１を所定時間強制湾曲させるべく所定径の巻装体に巻き取って所定時間放置（オフライン）するだけで簡単に接着層５に生じた気泡を開封用容器部材１Ａの熱成形前に除去することが出来るという利点がある。【０１４３】  又、ライナーレステープ巻装体４Ａから繰り出された容器部材開封用樹脂テープ４に、該樹脂テープ４が熱伸縮性樹脂シート１に貼着される前に、前記接着層５に生じる気泡１７を低減するための気泡低減処理手段が施された場合には、ライナーレステープ巻装体４Ａから繰り出される容器部材開封用樹脂テープ４を、開封用容器部材１Ａの熱成形前の熱伸縮性樹脂シート１に貼着した場合でも、気泡１７を目立たなくすることが出来るだけでなく、次工程で控えている気泡除去処理手段により、接着層５に残っている僅かな気泡１７をより確実に除去することが可能となり、しいては中身を消費者等に容易に確認可能とすべく開封用容器部材１Ａを透明の熱伸縮性樹脂シート１にて熱成形した際、接着層５に気泡１７を有しない容器部材開封用樹脂テープ４（この場合には当然該開封用樹脂テープ４も透明を使用）越しに中身を容易に確認可能な優れた物品収納容器を提供することが出来るという利点がある。【０１４４】  更に、上記気泡低減処理手段が、前記樹脂テープ４を、一面側４ａと他面側４ｂから挟み込む一対の挟体１３を用いると共に、一面側４ａの挟体１３ａには、シリコン押圧面１４が設けられた構成にしてなることから、該接着層５に生じる気泡１７の大半を、一対の挟体１３を介して効率よく押し潰しながら次の気泡除去処理手段側へと繰り出すことが出来るだけでなく、特に接着層５の気泡１７をシリコン押圧面１４で押し潰すことで粘着力低下の極めて少ない容器部材開封用樹脂テープ４を有した物品収納容器を提供することが出来るという利点がある。【０１４５】  而して、要は、食品等の物品を収納する容器本体又は該容器本体の開口部を閉塞する蓋体の少なくとも何れか一方を形成する開封用の容器部材に接着層を介して容器部材開封用樹脂テープが貼り付けられた場合において、該接着層が容器部材開封用樹脂テープ及び／又は容器部材の面の熱成形時の延伸時に、如何なる箇所においても均等な接着力を有した接着面を前記容器部材開封用樹脂テープの一面側及び／又は容器部材の面に形成すべく均等厚で拡がると共に、容器部材開封用樹脂テープの収縮時には、如何なる箇所においても均等な接着力を有した接着面を前記容器部材開封用樹脂テープの一面側及び／又は容器部材の面に形成すべく均等厚で縮むものであれば、開封用の容器部材及び該開封用の容器部材に貼着される容器部材開封用樹脂テープ及び接着層の具体的な材質、種類、厚み、形状等も本発明の意図する範囲内で一切限定されないのは言うまでもない。
【産業上の利用可能性】
【０１４６】  本発明は、開封用の容器部材の面に形成される凹凸状の起伏部の起立壁が、該容器部材の面を分断開口するために貼着された開封テープの一部に達していたり、又該起伏部の起立壁が開封テープの長手方向に沿って延設してなる場合であっても、接着強度にムラを生じさせることなく起伏部の起立壁に沿って開封テープを容易且つ確実に貼着させた熱成形を行い、スムーズな容器部材の分断開口を行うことが出来る極めて優れた容器部材開封用樹脂テープ及び該容器部材開封用樹脂テープを備えた物品収納容器を、例えば複数の収納物を物品収納容器の外部から容易且つ確実に確認されるような各種麺類や各種弁当類等の食品流通市場に安価、且つ大量に普及させることが出来るものである。
【図面の簡単な説明】
【０１４７】
【図１】  本発明における容器部材開封用樹脂テープの一実施形態を示すものであり、同図（イ）は斜視図、同図（ロ）は同図（イ）のＡ−Ａ線断面図、同図（ハ）は熱成形時の同図（イ）のＡ−Ａ線断面図、同図（ニ）は冷却時の同図（イ）のＡ−Ａ線断面図。
【０１４８】
【図２】  本発明における容器部材開封用樹脂テープを熱成形時に起伏部を形成する開封用の容器部材に貼着した場合を示し、同図（イ）は斜視図、同図（ロ）は同図（イ）のＧ−Ｇ線断面図。
【０１４９】
【図３】  本発明における容器部材開封用樹脂テープを備えた物品収納容器を示し、同図（イ）は容器本体を蓋体で閉塞する際の物品収納容器の斜視図、同図（ロ）は閉塞された物品収納容器の蓋体を開口する際の斜視図。
【０１５０】
【図４】  本発明の容器部材開封用樹脂テープの端部に容器分断案内把持部位を有した物品収納容器を示し、同図（イ）及び同図（ロ）は一部拡大斜視図。
【０１５１】
【図５】  本発明の容器部材開封用樹脂テープの他の実施形態を示し、同図（イ）は一部拡大斜視図、同図（ロ）は同図（イ）のＩ−Ｉ線断面図。
【符号の説明】
【０１５２】  １…熱伸縮性樹脂シート
１Ａ…容器部材
２…容器本体
２ａ…開口部
３…蓋体
４…容器部材開封用樹脂テープ
４ａ…一面側
４ｂ…他面側
４ｃ…容器分断案内把持片
５…接着層
５ａ…接着面
７…面
７ａ…起伏部
７ｂ…起立壁
９…鍔部位
１０…周縁部位
１２…線状体
【図１】
2004269048.tif 000003
【図２】
2004269048.tif 000004
【図３】
2004269048.tif 000005
【図４】
2004269048.tif 000006
【図５】
2004269048.tif 000007